(57)【要約】【課題】蓄電池を分解する際に、安全で確実に封入容器内から電極体を取り出すことができ、分解後に分別が容易でリサイクル性が良好な蓄電池の分解方法を提供する。【解決手段】蓄電池の封入容器の容器本体の外側面に、封入容器内部までは貫通しない破断用溝を設ける破断用溝入れ工程と、封入容器に外力を加えることにより、破断用溝より封入容器を破断させ開封する封入容器破断工程と、電極体を露出させる封入容器分離工程と、電極体と封入容器とが離反するように移動させることにより、封入容器から電極体を取り出す電極体取り出し工程を有する。【選択図】図５
2011198744.tif 000002
【特許請求の範囲】
【請求項１】
封入容器内に電極体が封入された蓄電池を分解し、封入容器内より電極体を取り出すための蓄電池の分解方法であって、
前記蓄電池の封入容器の容器本体の外側面に、封入容器内部までは貫通しない破断用溝を設けるための破断用溝入れ工程と、
前記封入容器に外力を加えることにより、破断用溝より封入容器を破断させ開封する封入容器破断工程と、
前記封入容器破断工程で破断された封入容器を離反する方向に移動することにより、電極体を露出させる封入容器分離工程と、
前記封入容器分離工程により露出した電極体を把持する電極体把持工程と、
前記電極体を把持した状態で、電極体と封入容器とが離反するように移動させることにより、封入容器から電極体を取り出す電極体取り出し工程と、を有することを特徴とする蓄電池の分解方法。
【請求項２】
封入容器内に電極体が封入された蓄電池を分解し、封入容器内より電極体を取り出すための蓄電池の分解方法であって、
前記封入容器に外力を加えることにより、破断用溝より封入容器を破断させ開封する封入容器破断工程と、
前記封入容器破断工程で破断された封入容器を離反する方向に移動することにより、電極体を露出させる封入容器分離工程と、
前記封入容器分離工程により露出した電極体を把持する電極体把持工程と、
前記電極体を把持した状態で、電極体と封入容器とが離反するように移動させることにより、封入容器から電極体を取り出す電極体取り出し工程と、を有することを特徴とする蓄電池の分解方法。
【請求項３】
前記蓄電池が、予め封入容器の容器本体の外側面に、封入容器内部までは貫通しない破断用溝を設けた蓄電池であることを特徴とする請求項２に記載の蓄電池の分解方法。
【請求項４】
前記封入容器破断工程の前に、封入容器の破断用溝を境にして、封入容器の一方側と他方側をそれぞれ把持する封入容器把持工程を有し、
前記封入容器破断工程において、封入容器を把持した状態で封入容器に外力を加えることにより、破断用溝より封入容器を破断させ開封することを特徴とする請求項１から３のいずれかに記載の蓄電池の分解方法。
【請求項５】
前記封入容器破断工程において、
前記封入容器に対して、封入容器の破断用溝より破断するために加える外力が、引張り、圧縮、ねじり、曲げのいずれかであるか、または、これらの少なくとも２つ以上の組み合わせであることを特徴とする請求項１から４のいずれかに記載の蓄電池の分解方法。
【請求項６】
前記破断用溝を設ける位置が、封入容器分離工程によって封入容器から露出した電極体を、電極体把持工程において把持できる位置に設けることを特徴とする請求項１から５のいずれかに記載の蓄電池の分解方法。
【請求項７】
前記破断用溝を、蓄電池の両端面に対して略平行に設けることを特徴とする請求項１から６のいずれかに記載の蓄電池の分解方法。
【請求項８】
前記封入容器把持工程の前に、
前記封入容器の外側面に、破断用溝とは略平行に、封入容器を把持し易くするための把持用溝を設ける把持用溝入れ工程を有することを特徴とする請求項４から７のいずれかに記載の蓄電池の分解方法。
【請求項９】
前記蓄電池が、予め封入容器の外側面に、破断用溝とは略平行に、封入容器を把持し易くするための把持用溝を設けた蓄電池であることを特徴とする請求項３に記載の蓄電池の分解方法。
【請求項１０】
前記封入容器の破断用溝を、封入容器を把持し易くするための把持用溝としても用いることを特徴とする請求項１から９のいずれかに記載の蓄電池の分解方法。
【請求項１１】
前記電極体取り出し工程において、
前記封入容器から集電タブを切り離すことにより、封入容器から集電タブを取り外すことを特徴とする請求項１から１０のいずれかに記載の蓄電池の分解方法。
【請求項１２】
前記電極体取り出し工程において、
前記電極体とともに集電タブを把持した状態で、封入容器と電極体とが離反するように移動させることにより、封入容器から電極体を取り外すことを特徴とする請求項１から１１のいずれかに記載の蓄電池の分解方法。
【請求項１３】
前記破断用溝が、複数本の破断用溝が離間して設けられた破断用溝であることを特徴とする請求項１から１２のいずれかに記載の蓄電池の分解方法。
【請求項１４】
前記蓄電池が、円筒形状、または四角柱形状のいずれかであることを特徴とする請求項１から１３のいずれかに記載の蓄電池の分解方法。
【請求項１５】
前記蓄電池が、充電された蓄電池であることを特徴とする請求項１から１４のいずれかに記載の蓄電池の分解方法。
【請求項１６】
少なくとも封入容器破断工程を、不活性ガス雰囲気の作業室内にて行うことを特徴とする請求項１から１５のいずれかに記載の蓄電池の分解方法。
【請求項１７】
封入容器内に電極体が封入された蓄電池を分解し、封入容器内より電極体を取り出すための蓄電池の分解装置であって、
前記蓄電池の封入容器の容器本体の外側面に、封入容器内部までは貫通しない破断用溝を設けるための破断用溝入れ機構と、
前記封入容器に外力を加えることにより、破断用溝より封入容器を破断させ開封する封入容器破断機構と、
前記封入容器破断機構によって破断された封入容器を離反する方向に移動することにより、電極体を露出させる封入容器分離機構と、
前記封入容器分離機構によって露出した電極体を把持する電極体把持機構と、
前記電極体把持機構により電極体を把持した状態で、電極体と封入容器とが離反するように移動させることにより、封入容器から電極体を取り出す電極体取り出し機構と、を備えることを特徴とする蓄電池の分解装置。
【請求項１８】
封入容器内に電極体が封入された蓄電池を分解し、封入容器内より電極体を取り出すための蓄電池の分解装置であって、
前記封入容器に外力を加えることにより、破断用溝より封入容器を破断させ開封する封入容器破断機構と、
前記封入容器破断機構によって破断された封入容器を離反する方向に移動することにより、電極体を露出させる封入容器分離機構と、
前記封入容器分離機構によって露出した電極体を把持する電極体把持機構と、
前記電極体把持機構により電極体を把持した状態で、電極体と封入容器とが離反するように移動させることにより、封入容器から電極体を取り出す電極体取り出し機構と、を備えることを特徴とする蓄電池の分解装置。
【請求項１９】
前記蓄電池が、予め封入容器の容器本体の外側面に、封入容器内部までは貫通しない破断用溝を設けた蓄電池を用いるように構成されていることを特徴とする請求項１８に記載の蓄電池の分解装置。
【請求項２０】
前記封入容器破断機構の前に、封入容器の破断用溝を境にして、封入容器の一方側と他方側をそれぞれ把持する封入容器把持機構を備え、
前記封入容器破断機構において、封入容器を把持した状態で封入容器に外力を加えることにより、破断用溝より封入容器を破断させ開封するように構成されていることを特徴とする請求項１７から１９のいずれかに記載の蓄電池の分解装置。
【請求項２１】
予め封入容器の容器本体の外側面に、封入容器内部までは貫通しない破断用溝を設けたことを特徴とする蓄電池。
【請求項２２】
前記破断用溝を設ける位置が、封入容器から露出した電極体を、把持できる位置に設けたことを特徴とする請求項２１に記載の蓄電池。
【請求項２３】
前記破断用溝を、蓄電池の両端面に対して略平行に設けたことを特徴とする請求項２１から２２のいずれかに記載の蓄電池。
【請求項２４】
前記破断用溝が、複数本の破断用溝が離間して設けられた破断用溝であることを特徴とする請求項２１から２３のいずれかに記載の蓄電池。
【請求項２５】
予め封入容器の容器本体の外側面に、破断用溝とは略平行に、封入容器を把持し易くするための把持用溝を設けたことを特徴とする請求項２１から２４のいずれかに記載の蓄電池。
【請求項２６】
請求項２１から２５に記載の蓄電池の製造方法であって、
予め封入容器の容器本体の外側面に、封入容器内部までは貫通しない破断用溝を設けた容器本体を用いることを特徴とする蓄電池の製造方法。
【請求項２７】
請求項２１から２５に記載の蓄電池の製造用の容器本体であって、
予め封入容器の容器本体の外側面に、封入容器内部までは貫通しない破断用溝を設けたことを特徴とする蓄電池製造用の容器本体。
【発明の詳細な説明】
【技術分野】
【０００１】
本発明は、封入容器内に封入された、例えば、パソコン、携帯電話、デジタルカメラ、ＰＤＡ(Personal Digital Assistance)などの電子機器に用いられる、マンガン電池、アルカリ電池、リチウム電池等の一次電池や、鉛蓄電池、ニッケル・カドミウム電池、ニッケル・水素電池、リチウムイオン電池などの二次電池、二重層キャパシター、コンデンサーなどのいわゆる蓄電池において、安全性試験などの所定の検査、リサイクルなどを行うために、封入容器内の内容物である電極体を封入容器から取り出すための蓄電池の分解方法およびそのための蓄電池の分解装置ならびにそのための蓄電池および蓄電池の製造方法および蓄電池製造用の容器本体に関する。
【背景技術】
【０００２】
従来より、ノート型パソコンや携帯電話、ＰＤＡ(Personal Digital Assistance)などの電子機器の電源として、繰り返し充放電可能な蓄電池が用いられている。
このような蓄電池には、例えば、ニッケル水素二次電池等の水系電池、リチウムイオン二次電池等の非水系電池、電気二重層キャパシター等のキャパシター、コンデンサーなどがある。
【０００３】
その構造としては、図２６に示した部分切断分解斜視図に示したように、例えば、リチウムイオン二次電池（蓄電池）１００では、正電極１０２として、アルミニウム箔の両面にコバルト酸リチウムなどを溶剤で溶いて、塗布後、乾燥、プレスして作製している。また、負電極１０４として、 銅箔の両面に、グラファイトなどの炭素材料を溶媒で溶いて、塗布後、乾燥、プレスして作製している。
【０００４】
そして、これらの正電極１０２と負電極１０４との間に、例えば、ポリエチレン、ポリプロピレンなどのポリオレフィン樹脂などの合成樹脂からなり、イオンが移動できる多孔質の絶縁フィルムからなるセパレーター１０６を介装して、積層している。
【０００５】
さらに、リチウムイオン二次電池１００が、図示したように、円筒形の場合には、積層体が、バームクーヘンの様に円筒状に巻かれて電極体１０３を構成している。
そして、この電極体１０３を、例えば、ニッケルメッキされた鉄製の円筒形状の容器本体１０８内に、負電極１０４の負極タブ１１０を缶底に電気的に接触させ、電解液を注入している。その後、蓋部材１１２を正電極１０２の正極タブ１１４に電気的に接続した後、かしめることによって封止して封入容器１０１を構成している。なお、リチウムイオン二次電池１００が角型の場合には、電極体は、扁平形状に巻かれる。
【０００６】
また、図２６中、符号１１６、１１８は、絶縁部材、１２０は、例えば、ダイヤフラムなどの圧力安全弁、１２２は、パッキン、１２４は、ＰＴＣ素子、１２６は、電流遮断機構、１２８は、正電極端子である。
【０００７】
このようなリチウムイオン二次電池１００では、容器本体１０８が負極であり、１２８の部分が正極を構成することになる。
近年、このようにして構成される繰り返し充放電可能な蓄電池１００は、その需要が高まっており、さらなる小型軽量化および大容量化が進められ、その研究が盛んに行われている。
【０００８】
ところでこのような蓄電池１００では、電極材料の研究開発や製造工程における金属粉などの異物混入の可能性がないかを確認するために、蓄電池１００を分解し、封入容器１０１内から電極体１０３を取り出すことが頻繁に行われている。
【０００９】
また、使用時における安全性が確保されるように様々な安全基準が設けられている。例えば、ＪＩＳ規格の強制内部短絡試験（ＪＩＳ  Ｃ８７１４：２００７）が定められており、この強制内部短絡試験を実施するためには、露点−２５℃以下の環境において、満充電された蓄電池１００を分解し、封入容器１０１内から電極体１０３を取り出す必要がある。
【００１０】
このような規格試験において、封入容器１０１内から電極体１０３を取り出す方法としては、従来では、例えば、導電性を有する金属製のニッパーなどを用いて封入容器１０１を手作業で分解することで、内部の電極体１０３を取り出している。
【００１１】
このような手作業により、満充電された蓄電池１００を解体するには、熟練を要し、発熱出火のおそれがあり危険性を伴うものである。
また、露点−２５℃以下の水分が除去された雰囲気において蓄電池１００を分解するためには、ドライルームやアルゴンなどの不活性ガス雰囲気の作業室（グローブボックス）内にて行う必要があるが、作業性の悪いグローブボックスでの作業は困難であり、ドライルーム内にて行われている。しかしながら、ドライルームは、設備が大掛りで高価となり、保有するのは電池製造業者などの一部に限られている。
【００１２】
このため、本出願人は、既に、特許文献１（特願２００９−０４１３０３号）において、専用の分解装置を用いて蓄電池１００を分解する方法を提案している。
このような分解装置は、特許文献１に開示されているように、先ず、封入容器１０１の蓋側を切断機で切断した後、封入容器１０１の底側の一部を加圧機で押圧変形させ、これにより、電極体１０３を封入容器１０１内で上方に押し上げるようにしている。
【００１３】
そして、この押圧されて底上げされた封入容器１０１の底側を、再度切断機で切断することで、露出された電極体１０３を封入容器１０１内から取り出すようにしている。
一方、このような蓄電池１００は、構成する部材の中に、例えば、コバルト、リチウムなどの高価でリサイクル可能な資源物が含まれているので、不要になった蓄電池１００を分解して部材毎に分別することで、資源物をリサイクルすることも、従来より行われている。
【００１４】
このように蓄電池１００から資源物を取り出す方法には、様々な方法があるが、例えば、蓄電池１００をスリッターで破壊した後、これを焼却処理し、残った金属を比重分離することで所望の金属を回収している。
【００１５】
また、特許文献２（特開昭６１−１１１９１号公報）には、円筒形状の蓄電池を切断分離することによって、蓄電池を構成する部材の中から資源物を回収できるようにした切断分離処理装置が開示されている。
【００１６】
この特許文献２の切断分離処理装置では、蓄電池を縦方向に配置するとともに、蓄電池の外筒部分をダイスに引っ掛けて、この状態で、蓄電池の上端部分を、上方から下方に向けて押圧することによって、外筒の内部を下方に押し下げるようにしている。
【００１７】
この際、ダイスの下方には、押し下げられた蓄電池の外筒内部の外周部分と接触するように刃物が配置されており、外筒の内部を下方に押し下げることによって、この刃物によって、蓄電池の外筒の内部が縦方向に切断されるように構成されている。
【００１８】
これにより、蓄電池を構成する各部材を分離し、部材毎に回収してリサイクルできるようになっている。
さらに、特許文献３（特許第４３５８４８９号公報）では、円筒形状の蓄電池の外装缶に、外装缶の上端から下端に向かって複数の切れ目を入れ、この複数に切断された外装缶を放射状に押し広げ、内部の電極体を外装缶から分離して回収する方法が開示されている。
【００１９】
また、特許文献４（特開平０８−０３７０３９号公報）では、電力の大量貯蔵用などに使用される廃棄ＮａＳ電池のキャップを、人手を要することなく簡単かつ確実に剥がすことができる方法が提案されている。
【００２０】
すなわち、この特許文献４の方法では、廃棄ＮａＳ電池を、その中心軸線のまわりに回転させながら、キャップの外周に環状の切込みを入れ、この環状の切込みに爪を挿入して、廃棄ＮａＳ電池の軸線方向に動かしてキャップを剥がす方法が開示されている。
【００２１】
このように上記したような方法や装置を用いて蓄電池を分解し、封入容器内から電極体を取り出すことは、蓄電池の研究開発を行う上でも必要不可欠であり、また、蓄電池をリサイクルする面でも必要不可欠である。
【先行技術文献】
【特許文献】
【００２２】
【特許文献１】特願２００９−０４１３０３号
【特許文献２】特開昭６１−１１１９１号公報
【特許文献３】特許第４３５８４８９号公報
【特許文献４】特開平０８−０３７０３９号公報
【発明の概要】
【発明が解決しようとする課題】
【００２３】
しかしながら、特許文献１に記載の分解装置は、封入容器の切削時に発生する切粉が、封入容器内に入り、電極体に付着してしまうことがある。
リチウムイオン電池などの蓄電池の構造は、製造時に金属粉などの異物が混入しても、電極体内部まで異物が入りにくい構造を有しているが、この付着した切粉が電極体の内部に入ってしまうと、内部短絡をおこし、発熱出火のおそれがある。
【００２４】
このため、電極体に切粉が付着しないように、吸引機を別途設けて、切粉を吸引しながら封入容器を切断することも行われている。
しかしながら、この場合でも、切粉を完全に取り除くことは困難であり、切断後に電極体に付着した切粉を吸引する作業が必要となる。
【００２５】
このように電極体に切粉が付着してしまう状態は、蓄電池の分解では好ましくなく、また、製造時に付着した金属片なのか、判断ができないことにもなる。
さらに、このような分解装置は、水分が除去された雰囲気に配置する必要がある場合は、ドライルームなどの大型で高価な設備を必要としないために、小型で作業性が悪いが、普及しているグローブボックス内に配置されることが好ましい。
【００２６】
しかしながら、グローブボックスは、限られたスペース（例えば、幅８００ｍｍ×高さ６００ｍｍ×奥行き６００ｍｍ）であるので、この限られたスペース内に、切断機，吸引機，加圧機を配設された状態での分解作業は、両手でこれらの装置を取り扱うには、作業が困難であり、改善が必要なものであった。
【００２７】
また、特許文献２に記載の切断分離処理装置については、特定の構造を有する蓄電池の分離処理に特化した装置であるため、例えば、他の形状や構造の蓄電池には適用し難いものであった。
【００２８】
また、この切断分離処理装置では、刃物で直接外筒内部を切断しているため、規格試験用として封入容器内から電極体を取り出すのに用いることはできず、あくまでリサイクル用にしか用いることのできないものであった。
【００２９】
さらに、特許文献３に記載の方法においても、封入容器の厚み以上の切断が行われているため、切断時に発生した切粉が電極体に付着してしまうことは免れず、これについてもリサイクル用にしか使用ができないものであった。
【００３０】
また、特許文献４に記載の方法では、特殊な電池である廃棄ＮａＳ電池を処理するための方法であり、例えば、他の形状や構造の蓄電池には適用し難いものであった。その方法も、キャップを取り外して、封入容器を開封して、カートリッジ内に存在するナトリウムや硫黄を取り出す方法が開示されている。
【００３１】
しかしながら、封入容器を開封することは開示されてはいるものの、その他の電極体などの部材をいかに取り出すかについては何ら言及されていない。すなわち、この方法では、キャップを取り外ししても、電極体を把持する掴み代が存在しないので、電極体を封入容器から取り外すことは困難である。
【００３２】
しかも、この方法では、電極体をそのまま取り出すことができないので、強制内部短絡試験などの規格試験を行うことは不可能である。
さらに、この方法では、キャップの外周に環状の切込みを入れ、この環状の切込みに爪を挿入して、廃棄ＮａＳ電池の軸線方向に動かしてキャップを剥がすための特殊で、大型の装置が必要となり、リチウムイオン電池などの蓄電池において、不活性雰囲気下で、グローブボックスなどの限られたスペースに配置するのは困難である。
【００３３】
本発明は、このような現状に鑑み、例えば、強制内部短絡試験のように満充電された蓄電池を分解する際に、安全で確実に封入容器内から電極体を取り出すことができるとともに、不活性ガス雰囲気の作業室内での分解作業がし易く、しかも、分解後に分別が容易でリサイクル性が良好な蓄電池の分解方法およびそのための蓄電池の分解装置ならびにそのための蓄電池および蓄電池の製造方法および蓄電池製造用の容器本体を提供することを目的とする。
【課題を解決するための手段】
【００３４】
本発明は、前述したような従来技術における課題及び目的を達成するために発明されたものであって、本発明の蓄電池の分解方法は、
封入容器内に電極体が封入された蓄電池を分解し、封入容器内より電極体を取り出すための蓄電池の分解方法であって、
前記蓄電池の封入容器の容器本体の外側面に、封入容器内部までは貫通しない破断用溝を設けるための破断用溝入れ工程と、
前記封入容器に外力を加えることにより、破断用溝より封入容器を破断させ開封する封入容器破断工程と、
前記封入容器破断工程で破断された封入容器を離反する方向に移動することにより、電極体を露出させる封入容器分離工程と、
前記封入容器分離工程により露出した電極体を把持する電極体把持工程と、
前記電極体を把持した状態で、電極体と封入容器とが離反するように移動させることにより、封入容器から電極体を取り出す電極体取り出し工程と、を有することを特徴とする。
【００３５】
また、本発明の蓄電池の分解装置は、
封入容器内に電極体が封入された蓄電池を分解し、封入容器内より電極体を取り出すための蓄電池の分解装置であって、
前記蓄電池の封入容器の容器本体の外側面に、封入容器内部までは貫通しない破断用溝を設けるための破断用溝入れ機構と、
前記封入容器に外力を加えることにより、破断用溝より封入容器を破断させ開封する封入容器破断機構と、
前記封入容器破断機構によって破断された封入容器を離反する方向に移動することにより、電極体を露出させる封入容器分離機構と、
前記封入容器分離機構によって露出した電極体を把持する電極体把持機構と、
前記電極体把持機構により電極体を把持した状態で、電極体と封入容器とが離反するように移動させることにより、封入容器から電極体を取り出す電極体取り出し機構と、を備えることを特徴とする。
【００３６】
このように構成することによって、封入容器に設ける破断用の溝は、封入容器の内部まで貫通しない程度の深さであり、封入容器は開封しないので、切粉が封入容器内部に混入することがないので、破断用溝入れ工程は大気中にて行うことができる。
【００３７】
このため、破断用溝入れ工程を、サイズに制約があり、作業性の悪い不活性ガス雰囲気、例えば、アルゴン雰囲気の作業室（グローブボックス）などで行う必要がない。従って、作業の効率が向上するとともに、グローブボックス内に配置されるその他の装置を簡素化することができる。
【００３８】
すなわち、従来の装置では、切削加工が行われるため、切粉を吸引するための吸引機を、わざわざ限られた不活性ガス雰囲気のグローブボックス内に配設させる必要があったが、本発明では、その必要が全くなく、特に、不活性ガス雰囲気のグローブボックス内に配設される装置を簡素化することができる。
【００３９】
また、封入容器破断工程において、例えば、破断用溝を境にして封入容器を把持し、外力として引張り荷重を封入容器に加えることで、強度が最も弱い破断用溝に材料強度（引張り強さ）以上の応力を発生させて、強制的に封入容器を破断用溝から破断させ開封することができる。
【００４０】
このため、切削などとは異なり、切粉は発生しないので、電極体に切粉が付着してショートさせてしまうおそれもない。このため、強制内部短絡試験のような規格試験を行うために、充電された蓄電池から電極体を得るのに好適である。
【００４１】
また、封入容器分離工程において、破断用溝により破断された封入容器を把持し、破断された封入容器を互いに離反させるように移動させることで、電極体が露出される。しかも、この場合、蓄電池の封入容器の容器本体の外側面に破断用溝が設けられているので、電極体が露出した状態で、電極体を把持する把持代が存在することになるので、電極体把持工程において、電極体を把持することが可能となり、電極体取り出し工程において、封入容器から電極体を破損損傷することなくそのままの状態で取り出すことができる。
【００４２】
このため、取り出された電極体に対して、強制内部短絡試験のような規格試験を確実に行うことができるとともに、分解も容易であり、分別回収して資源物をリサイクルすることができる。
【００４３】
なお、この場合、封入容器を互いに分離する距離は、電極体を把持できる距離であれば良く、既に前工程である電極体把持工程において、封入容器は把持している状態であるので、改めて把持し直す必要がなく、工程を簡略化することができる。
【００４４】
さらに、この場合、封入容器破断工程と封入容器分離工程に用いる装置は同一のものであって良く、この場合には、さらにグローブボックス内に配設される装置を簡素化することができる。
【００４５】
また、電極体取り出し工程において、露出した電極体を把持し、電極体と分離された封入容器を、互いが離反するように移動させることにより、折り曲げられて収納されていた集電タブ（正極タブと負極タブ）が伸び、引張り荷重がかかることで、集電タブを破断させるととともに、封入容器から電極体を取り出すことができる。
【００４６】
従って、封入容器から、形状を保持した綺麗な状態（集電タブが付いた状態）の電極体を取り出すことができるので、取り出された電極体に対して、強制内部短絡試験のような規格試験を確実に行うことができるとともに、分解も容易であり、分別回収して資源物をリサイクルすることができる。
【００４７】
さらに、封入容器を開封し、電極体を取り出すまでの一連の工程が簡素化されているので、グローブボックス内での作業においても容易に行うことができ、グローブボックス内配置される装置が簡素化され、自動化も容易に行うことができる。
【００４８】
また、本発明の蓄電池の分解方法は、
封入容器内に電極体が封入された蓄電池を分解し、封入容器内より電極体を取り出すための蓄電池の分解方法であって、
前記封入容器に外力を加えることにより、破断用溝より封入容器を破断させ開封する封入容器破断工程と、
前記封入容器破断工程で破断された封入容器を離反する方向に移動することにより、電極体を露出させる封入容器分離工程と、
前記封入容器分離工程により露出した電極体を把持する電極体把持工程と、
前記電極体を把持した状態で、電極体と封入容器とが離反するように移動させることにより、封入容器から電極体を取り出す電極体取り出し工程と、を有することを特徴とする。
【００４９】
また、本発明の蓄電池の分解装置は、
封入容器内に電極体が封入された蓄電池を分解し、封入容器内より電極体を取り出すための蓄電池の分解装置であって、
前記封入容器に外力を加えることにより、破断用溝より封入容器を破断させ開封する封入容器破断機構と、
前記封入容器破断機構によって破断された封入容器を離反する方向に移動することにより、電極体を露出させる封入容器分離機構と、
前記封入容器分離機構によって露出した電極体を把持する電極体把持機構と、
前記電極体把持機構により電極体を把持した状態で、電極体と封入容器とが離反するように移動させることにより、封入容器から電極体を取り出す電極体取り出し機構と、を備えることを特徴とする。
【００５０】
また、本発明の蓄電池の分解方法は、
前記蓄電池が、予め封入容器の容器本体の外側面に、封入容器内部までは貫通しない破断用溝を設けた蓄電池であることを特徴とする。
【００５１】
また、本発明の蓄電池の分解装置は、
前記蓄電池が、予め封入容器の容器本体の外側面に、封入容器内部までは貫通しない破断用溝を設けた蓄電池を用いるように構成されていることを特徴とする。
【００５２】
また、本発明の蓄電池は、予め封入容器の容器本体の外側面に、封入容器内部までは貫通しない破断用溝を設けたことを特徴とする。
このように蓄電池が、すなわち、製品として製造、販売される蓄電池が、予め封入容器の容器本体の外側面に、封入容器内部までは貫通しない破断用溝を設けた蓄電池であれば、破断用溝入れ機構（破断用溝入れ工程）が不要となる。
【００５３】
従って、例えば、大学や研究機関などにおいて、旋盤などの破断用溝入れ機構を有していない場所においても、蓄電池の分解方法を実施することができる。
また、このように、破断用溝入れ機構（破断用溝入れ工程）が不要であるので、工程が簡略化されて、効率良く蓄電池の分解を行うことができる。
【００５４】
しかも、蓄電池の分解装置として、破断用溝入れ機構を備える必要がないので、コンパクトな蓄電池の分解装置を提供することができる。
ところで、上記の破断用溝入れ機構（破断用溝入れ工程）は、封入容器内に電極体が封入された蓄電池に対して、破断用溝を設けても良いが、封口後の蓄電池に破断用溝を設けると、容器本体に表面処理としてメッキが施されている場合、メッキが剥がれてしまい、数年という長い期間で蓄電池として使用する際には、破断用溝が腐食し、腐食部から電解液が液漏れてしまうおそれがある。
【００５５】
このため、容器本体の製造工程において、容器本体に予め破断用溝を設け、従来通り、容器本体にメッキを施せばこの問題が解消する。
従って、破断用溝入れ工程は、容器本体の製造工程の中で行われることが望ましい。すなわち、蓄電池の製造に用いる部材として、予め破断用溝を設けた蓄電池製造用の容器本体を供給するだけで、従来の蓄電池の製造設備を用いて、予め破断用溝を設けた蓄電池製造用の容器本体に電極体を挿入し、注液し、封口できるので、予め破断用溝を設けた蓄電池を簡単に製造することができる。
【００５６】
従って、本発明の蓄電池の製造方法は、
蓄電池の製造方法であって、
予め封入容器の容器本体の外側面に、封入容器内部までは貫通しない破断用溝を設けた容器本体を用いることを特徴とする。
【００５７】
また、本発明の蓄電池製造用の容器本体は、
予め封入容器の容器本体の外側面に、封入容器内部までは貫通しない破断用溝を設けたことを特徴とする。
【００５８】
また、後述する封入容器を把持し易くするための把持用溝を設ける場合、上記と同様に、封入容器内に電極体が封入された蓄電池に対して、把持用溝を設けても良いが、封口後に蓄電池に把持用溝を設けると、容器本体に表面処理としてメッキが施されている場合、メッキが剥がれてしまい、数年という長い期間で蓄電池として使用する際には、把持用溝が腐食し、腐食部から電解液が液漏れてしまうおそれがある。
【００５９】
このため、容器本体の製造工程において、容器本体に予め把持用溝を設け、従来通り、容器本体にメッキを施せばこの問題が解消する。
また、本発明の蓄電池の分解方法は、
前記封入容器破断工程の前に、封入容器の破断用溝を境にして、封入容器の一方側と他方側をそれぞれ把持する封入容器把持工程を有し、
前記封入容器破断工程において、封入容器を把持した状態で封入容器に外力を加えることにより、破断用溝より封入容器を破断させ開封することを特徴とする。
【００６０】
また、本発明の蓄電池の分解装置は、
前記封入容器破断機構の前に、封入容器の破断用溝を境にして、封入容器の一方側と他方側をそれぞれ把持する封入容器把持機構を備え、
前記封入容器破断機構において、封入容器を把持した状態で封入容器に外力を加えることにより、破断用溝より封入容器を破断させ開封するように構成されていることを特徴とする。
【００６１】
このように破断用溝を境にして、封入容器の一方側と他方側をそれぞれ把持し、例えば、外力として、ねじり、曲げ、引張り荷重などを封入容器に加えることで、強度が最も弱い破断用溝に材料強度以上の応力を発生させることができ、強制的に封入容器を破断用溝から破断させ開封することができる。
【００６２】
なお、例えば、封入容器に加える外力が、圧縮荷重の場合には、このように封入容器の一方側と他方側をそれぞれ把持する必要がなく、封入容器の一端部側と他端部側から中央方向に圧縮するようにすれば良い。
【００６３】
また、本発明の蓄電池の分解方法は、
前記封入容器破断工程において、
前記封入容器に対して、封入容器の破断用溝より破断するために加える外力が、引張り、圧縮、ねじり、曲げのいずれかであるか、または、これらの少なくとも２つ以上の組み合わせであることを特徴とする。
【００６４】
このように構成することによって、封入容器破断工程において、破断用溝を境にして封入容器を把持したまま、離反する方向に移動させることで、例えば、外力として引張り荷重を封入容器に加えることができ、強度が最も弱い破断用溝に材料強度（引張り強さ）以上の応力を発生させて、強制的に封入容器を破断用溝から容易に破断させ開封することができる。
【００６５】
このため、封入容器を離反する方向が引張りとなるため、作業性や装置を考慮すれば、封入容器を破断する外力は、引張りが最も簡単である。
しかしながら、引張り荷重と同様に、外力として、圧縮、ねじり、曲げのいずれかの外力を単独に加えても、封入容器を破断用溝より破断させることがきる。
【００６６】
また、これらの少なくとも２つ以上の外力を組み合わせても、例えば、封入容器をねじりながら引っ張っても、同様に封入容器を破断用溝より破断することができる。
また、本発明の蓄電池の分解方法は、
前記破断用溝を設ける位置が、封入容器分離工程によって封入容器から露出した電極体を、電極体把持工程において把持できる位置に設けることを特徴とする。
【００６７】
また、本発明の蓄電池は、
前記破断用溝を設ける位置が、封入容器から露出した電極体を、把持できる位置に設けたことを特徴とする。
【００６８】
このように、破断用溝を設ける位置が、封入容器分離工程によって封入容器から露出した電極体を、電極体把持工程において把持できる位置に設けることによって、電極体が露出した状態で、電極体を把持する把持代が存在することになるので、電極体把持工程において、電極体を把持することが可能となり、電極体取り出し工程において、封入容器から電極体を破損損傷することなくそのままの状態で取り出すことができる。
【００６９】
この場合、破断用溝を封入容器の容器本体の外側面に設ける位置は、電極体把持工程において、電極体を把持することが可能となる位置であれば、特に限定されるものではないが、蓄電池の長さの中央を境にして、円筒形状の蓄電池の場合には、封入容器の外側面の底側寄りに、四角柱形状の蓄電池の場合には、封入容器の蓋側寄りに設けることが好ましい。
【００７０】
しかしながら、破断用溝の位置が、極端に封入容器の底側あるいは蓋側に設けてしまうと、電極体が露出しなかったり、露出する長さが短かったりするので、電極体を把持できなり、封入容器から電極体を取り出せなくなってしまうので、電極体が露出した状態で、電極体を把持する把持代が存在するような位置を適宜選択すればよい。
【００７１】
また、本発明の蓄電池の分解方法は、
前記破断用溝を、蓄電池の両端面に対して略平行に設けることを特徴とする。
また、本発明の蓄電池は、
前記破断用溝を、蓄電池の両端面に対して略平行に設けたことを特徴とする。
【００７２】
このように、破断用溝を蓄電池の両端面に対して略平行に設けることにより、旋盤やフライスで容易に加工することができる。
また、封入容器の破断用溝に対して、外力を加えた際に、この破断用溝から効果的に破断させることができる。
【００７３】
この場合、破断用溝の溝の形状は、凹溝でも、角度がついた溝でも構わない。また、溝の幅は、封入容器を、例えば、引張り破断させる場合、後述するように、破断用の溝としての機能だけでなく、把持用の溝として、引っ掛けて滑り止めの役割を果たせるように、幅を広くするなどしても良い。
【００７４】
さらに、破断用溝の溝の深さは、封入容器の容器本体の外側面の寸法精度を考慮して、封入容器を貫通させない程度にすれば良い。極端に溝を深くしても良いが、容器本体を手で引張ったり、落としたりする程度で、破断用溝から容器本体より破断したり割れたりしてしまうと、蓄電池を次の工程に運ぶ際、誤って封入容器が開封するおそれがある。
【００７５】
このため、破断用溝は、ある程度の強度を持ち、ネジやエアーシリンダーなどによる大きな外力により、破断させるような溝深さにすることが好ましい。
また、破断用溝の溝の長さは、封入容器の外側面に全周に渡り連続的に繋がっていても、断続的に切れていても構わない。
【００７６】
このように、破断用溝の溝の長さが、封入容器の容器本体の外側面に全周に渡り連続的に繋がっていれば、いずれの箇所からも破断が生じ易く、確実に封入容器を破断させて、蓄電池を分解することができる。また、破断用溝の溝の長さが、断続的に切れていても、破断用溝が形成されている部分から最初に破断されて、それ以外の箇所も一緒に破断されることとなるため、確実に封入容器を破断させて、蓄電池を分解することができる。
【００７７】
また、本発明の蓄電池の分解方法は、
前記封入容器把持工程の前に、
前記封入容器の外側面に、破断用溝とは略平行に、封入容器を把持し易くするための把持用溝を設ける把持用溝入れ工程を有することを特徴とする。
【００７８】
また、本発明の蓄電池の分解方法は、
前記蓄電池が、予め封入容器の外側面に、破断用溝とは略平行に、封入容器を把持し易くするための把持用溝を設けた蓄電池であることを特徴とする。
【００７９】
また、本発明の蓄電池は、
予め封入容器の容器本体の外側面に、破断用溝とは略平行に、封入容器を把持し易くするための把持用溝を設けたことを特徴とする。
【００８０】
このように封入容器に把持用溝を設ければ、封入容器の一端部と他端部とを把持して引張る際に、この把持用溝の部分が滑り止めとして機能することになる。
従って、封入容器破断工程において、途中で把持手段と封入容器との間で滑りを生ずることがなく、確実に封入容器を破断させて、蓄電池を分解することができる。
【００８１】
この場合、把持用溝は、破断用溝より強度を強くするため、例えば、その深さを破断用溝より浅くしたり、破断用溝の長さを、断続的に切れた状態となるように形成すれば良い。
【００８２】
また、本発明の蓄電池の分解方法は、前記封入容器の破断用溝を、封入容器を把持し易くするための把持用溝としても用いることを特徴とする。
このように、封入容器の破断用溝を、破断用の溝としての機能だけでなく、封入容器を把持し易くするための把持用の溝として、引っ掛けて滑り止めの役割を果たせるように、幅を広くするなどしても良い。
【００８３】
また、本発明の蓄電池の分解方法は、
前記電極体取り出し工程において、
前記封入容器から集電タブを切り離すことにより、封入容器から集電タブを取り外すことを特徴とする。
【００８４】
このようにすれば、切断具などを用いて、封入容器から集電タブを切り離すことにより、集電タブ、例えば、封入容器との接合部分が強固である負極タブと、この負極タブと接続された銅箔を主とする負電極が破れて、電極体が破損してしまうことを防止することができる。これにより、取り出された電極体に対して、集電タブから電圧測定が容易にできるので、強制内部短絡試験のような規格試験を確実に行うことができる。
【００８５】
また、本発明の蓄電池の分解方法は、
前記電極体取り出し工程において、
前記電極体とともに集電タブを把持した状態で、封入容器と電極体とが離反するように移動させることにより、封入容器から電極体を取り外すことを特徴とする。
【００８６】
このようにすれば、電極体とともに集電タブを把持した状態であるので、封入容器の破断用溝に対して、外力を加えた際にも、集電タブ、例えば、封入容器との接合部分が強固である負極タブであっても、負極タブと封入容器との接合部分が破断する前に、この負極タブと接続された銅箔を主とする負電極が破れて電極体が破損してしまうことを防止することができる。また、切断具などを用いて集電タブを切断するような切断工程を省略して、封入容器から電極体を集電タブが付いた状態で取り出すことができる。
【００８７】
また、本発明の蓄電池の分解方法は、
前記破断用溝が、複数本の破断用溝が離間して設けられた破断用溝であることを特徴とする。
【００８８】
また、本発明の蓄電池は、
前記破断用溝が、複数本の破断用溝が離間して設けられた破断用溝であることを特徴とする。
【００８９】
このように、複数本の破断用溝を離間して設けることによって、例えば、四角柱形状の蓄電池の場合に、封入容器の蓋部材側に、集電タブを切断するための第１の破断用溝と、封入容器の底部側に電極体を露出するための第２の破断用溝を設けることができる。これにより、第１の破断用溝を破断させて、集電タブを切断した後、第２の破断用溝を破断させて、電極体を露出させて把持して電極体を封入容器から取り外すことができる。
【００９０】
また、本発明の蓄電池の分解方法は、前記蓄電池が、円筒形状、または四角柱形状のいずれかであることを特徴とする。
このような形態を有する蓄電池であれば、本発明の蓄電池の分解方法に用いるのに好適である。
【００９１】
また、本発明の蓄電池の分解方法は、前記蓄電池が、充電された蓄電池であることを特徴とする。
このように蓄電池が、充電された蓄電池であっても、本発明の蓄電池の分解方法を適用することができるとともに、取り出された電極体に対して、強制内部短絡試験のような規格試験を確実に行うことができる
また、本発明の蓄電池の分解方法は、少なくとも封入容器破断工程を、不活性ガス雰囲気の作業室内にて行うことを特徴とする。
【００９２】
このように、少なくとも封入容器破断工程を、不活性ガス雰囲気の作業室内にて行うことによって、例えば、満充電されている蓄電池を分解する際においても、安全に分解作業を行うことができる。
【発明の効果】
【００９３】
本発明によれば、先ず、大気中にて封入容器の外側面に封入容器内部までは貫通しない破断用溝を設け、この後、不活性ガスの作業室の雰囲気にて、例えば、封入容器の破断用溝を境にして封入容器を把持し、引張り荷重などの外力を加えることで、破断用溝より封入容器を破断開封することができる。
【００９４】
次に、破断した封入容器を互いに離反する方向に移動して分離して、電極体を露出させ、露出した電極体を把持し、電極体と分離された封入容器を互いに離反するように移動させることにより、封入容器から蓄電池を取り出すことができるので、短絡させることなく、簡単に安全に形状保持した状態で電極体を取り出すことができる。
【００９５】
このため、強制内部短絡試験を行う場合には、満充電された蓄電池を安全に簡単に解体することができ、規格試験を安全で確実に行うことができる。
さらに、満充電された蓄電池を分解する際には、不活性ガス雰囲気の作業室で作業が行われるが、この際にも作業室内に配設される必要の有るものが把持手段と移動手段のみであるため、効率良く分解作業を行うことができる。
【００９６】
また、封入容器内から形状を保持したままの状態で電極体を取り出すことができるため、取り出した電極体を部材毎に分別し、資源物のリサイクルを簡単かつ迅速に行うことができる。
【図面の簡単な説明】
【００９７】
【図１】図１は、本発明の蓄電池の分解方法に用いる蓄電池の分解装置の概略構成図である。
【図２】図２は、本発明の蓄電池の分解方法およびそのための蓄電池の分解装置の実施例において、分解対象となる円筒形状の蓄電池を示しており、図２（ａ）は、正面図、図２（ｂ）は、縦断面図である。
【図３】図３は、本発明の蓄電池の分解方法の破断用溝入れ工程と、そのための蓄電池の分解装置の破断用溝入れ機構の構成について説明する概略図である。
【図４】図４は、本発明の蓄電池の分解方法の破断用溝入れ工程において、破断用溝入れ機構で破断用溝が形成された蓄電池の正面図であって、図４（ａ）は、破断用溝が、直線状に、封入容器の外側面に全周に渡り連続的に繋がった状態に形成された蓄電池の正面図、図４（ｂ）は、破断用溝が、部分線状に、断続的に切れた状態に形成された蓄電池の正面図である。
【図５】図５は、本発明の蓄電池の分解方法の封入容器破断工程と、そのための蓄電池の分解装置の封入容器破断機構の構成について説明する概略図である。
【図６】図６は、本発明の蓄電池の分解方法の電極体取り出し工程と、そのための蓄電池の分解装置の電極体取り出し機構の構成について説明する概略図である。
【図７】図７は、本発明の実施例によって蓄電池を分解した状態を説明するための分解図である。
【図８】図８は、破断用溝入れ工程において封入容器１０１に加える外力を説明する概略図であり、図８（ａ）は、外力が引張り荷重である場合の概略図、図８（ｂ）、図８（ｃ）は、外力が圧縮荷重である場合の概略図を示している。
【図９】図９は、破断用溝入れ工程において封入容器１０１に加える外力を説明する概略図であり、図９（ａ）は、外力がねじり荷重である場合の概略図、図９（ｂ）は、外力が曲げ荷重である場合の概略図を示している。
【図１０】図１０は、本発明の別の実施例の封入容器分離機構３０（封入容器分離工程）と、電極体取り出し機構４０（電極体取り出し工程）の構成について説明する概略図である。
【図１１】図１１は、本発明の別の実施例の封入容器分離機構３０（封入容器分離工程）と、電極体取り出し機構４０（電極体取り出し工程）の構成について説明する概略図である。
【図１２】図１２は、本発明の別の実施例の封入容器分離機構３０（封入容器分離工程）と、電極体取り出し機構４０（電極体取り出し工程）の構成について説明する概略図である。
【図１３】図１３は、本発明の蓄電池の分解方法およびそのための蓄電池の分解装置の実施例において、分解対象となる四角柱形状を有する蓄電池を示しており、図１３（ａ）は、正面図、図１３（ｂ）は、縦断面図である。
【図１４】図１４は、本発明の別の実施例の蓄電池の分解方法の破断用溝入れ工程と、そのための蓄電池の分解装置の破断用溝入れ機構の構成について説明する概略図である。
【図１５】図１５は、破断用溝入れ工程で破断用溝が形成され、さらに、把持用溝入れ工程で把持用溝が形成された蓄電池の正面図であって、図１５（ａ）は、破断用溝と把持用溝が、直線状に、封入容器の外側面に全周に渡り連続的に繋がった状態に形成された蓄電池の正面図、図１５（ｂ）は、破断用溝と把持用溝が、部分線状に、断続的に切れた状態に形成された蓄電池の正面図である。
【図１６】図１６は、本発明の別の実施例の蓄電池の分解方法の封入容器破断工程と、そのための蓄電池の分解装置の封入容器破断機構の構成について説明する概略図である。
【図１７】図１７は、本発明の別の実施例の蓄電池の分解方法の封入容器分離工程と、そのための蓄電池の分解装置の封入容器分離装置の構成について説明する概略図である。
【図１８】図１８は本発明の別の実施例における蓄電池を分解した状態を説明するための分解図である。
【図１９】図１９は、本発明の別の実施例の封入容器分離機構３０（封入容器分離工程）と、電極体取り出し機構４０（電極体取り出し工程）の構成について説明する概略図である。
【図２０】図２０は、本発明の別の実施例の封入容器分離機構３０（封入容器分離工程）と、電極体取り出し機構４０（電極体取り出し工程）の構成について説明する概略図である。
【図２１】図２１は、本発明の別の実施例の封入容器分離機構３０（封入容器分離工程）と、電極体取り出し機構４０（電極体取り出し工程）の構成について説明する概略図である。
【図２２】図２２は、本発明の別の実施例の蓄電池の分解方法およびそのための蓄電池の分解装置の実施例の構成について説明する概略図である。
【図２３】図２３は、本発明の蓄電池の分解方法の破断用溝入れ工程の構成について説明する概略図である。
【図２４】図２４は、円筒形状の蓄電池を製造する際に用いる部材として、予め破断用溝１３２を設けた蓄電池製造用の容器本体１０８の正面図であって、図２４（ａ）は、破断用溝１３２が、直線状に、容器本体１０８の外側面に全周に渡り連続的に繋がった状態に形成された容器本体１０８の正面図、図２４（ｂ）は、破断用溝１３２が、部分線状に、断続的に切れた状態に形成された容器本体１０８の正面図である。
【図２５】図２５は、四角柱形状の蓄電池を製造する際に用いる部材として、予め破断用溝１３２と把持用溝１３４を設けた蓄電池製造用の容器本体１０８の正面図であって、図２５（ａ）は、破断用溝１３２と把持用溝１３４が、直線状に、容器本体１０８の外側面に全周に渡り連続的に繋がった状態に形成された容器本体１０８の正面図、図２５（ｂ）は、破断用溝１３２と把持用溝１３４が、部分線状に、断続的に切れた状態に形成された容器本体１０８の正面図である。
【図２６】図２６は、リチウムイオン電池（蓄電池）の構造を説明するための部分切断分解斜視図である。
【発明を実施するための形態】
【００９８】
以下、本発明の実施の形態（実施例）を図面に基づいてより詳細に説明する。
本発明は、例えば、電子機器などに用いられる蓄電池において、蓄電池が充電されていても、封入容器内の内容物である電極体を、封入容器内から形状保持したままの状態で取り出すための蓄電池の分解方法およびそのための蓄電池の分解装置に関する。
【００９９】
図１に示したように、符号１は、全体で本発明の蓄電池の分解方法に用いる蓄電池の分解装置を示しており、蓄電池の分解装置１は、破断用溝入れ機構１０と、封入容器破断機構２０と、封入容器分離機構３０と、電極体取り出し機構４０とを備えている。
【０１００】
このうち、封入容器破断機構２０、封入容器分離機構３０、電極体取り出し機構４０については、不活性ガス雰囲気の作業室２（例えば、グローブボックス２）内に配設されている。
【０１０１】
なお、この実施例では、封入容器破断機構２０、封入容器分離機構３０、電極体取り出し機構４０を、不活性ガス雰囲気の作業室２内に配置したが、少なくとも封入容器破断機構２０を不活性ガス雰囲気の作業室２内に配置するのが望ましい。
【０１０２】
このように、少なくとも封入容器破断工程を、不活性ガス雰囲気の作業室内にて行うことによって、例えば、満充電されている蓄電池を分解する際においても、安全に分解作業を行うことができる。
【０１０３】
この理由としては、分解対象となる蓄電池１００が、例えば、充電されたものである場合、分解作業時に、電極体１０３に含浸された電解液が反応して、発火などを生ずる場合があり、安全性を確保するためである。また、露点−２５℃以下といった水分が除去された乾燥した雰囲気にて作業を行うためである。
【０１０４】
なお、放電済みの蓄電池１００を分解するのであれば、発火などの危険を生ずることはほとんどないため、大気中での分解作業も可能である。
一方、破断用溝入れ機構１０については、後述するように、蓄電池１００の封入容器１０１の容器本体１０８の外側面から内部まで貫通するような加工が行われないため、蓄電池１００であっても大気中での取り扱いができ、グローブボックス２内に配設する必要がない。
【０１０５】
ただし、例えば、強制内部短絡試験のように、満充電した電池を解体する場合などは、破断用溝入れ工程では、誤って溝を深く入れたりなどして、発熱や発火などのおそれがある。このため、放電した電池を用いて、破断用や把持用の溝入れを終えることが好ましく、その後に、充電すれば良い。また、電極体に含まれるレアメタルなど抽出するリサイクルを行う場合は、蓄電池は放電しておけば良い。
【０１０６】
以下に、本発明の蓄電池の分解方法およびそのための蓄電池の分解装置について、図１〜図６の実施例について説明する。
この実施例における蓄電池の分解装置１では、図２に示したように、円筒形状を有する蓄電池を分解対象とするものである。
【０１０７】
このような円筒形状の蓄電池１００は、背景技術の欄で、図２６の部分切断分解斜視図を用いて説明した蓄電池１００ものと同様なものである。なお、図２では、説明の便宜上、主たる部材のみを図示している。
【０１０８】
なお、容器本体１０８は金属缶であり、円筒形状の蓄電池１００の場合には、内外面にメッキをされた鉄鋼材から構成されている。
先ず、破断用溝入れ機構１０（破断用溝入れ工程）について説明する。
【０１０９】
破断用溝入れ機構１０は、図３に示したように、蓄電池１００の封入容器１０１の容器本体１０８の外側面に、封入容器１０１内部までは貫通しないように、破断用溝１３２を設けるための機構である。
【０１１０】
このような破断用溝入れ機構１０は、図３（ａ）に示したように、蓄電池１００を固定する固定具１２と、蓄電池１００の容器本体１０８の外側面に破断用溝１３２を切削形成するための加工機１４から構成されている。
【０１１１】
この実施例では、円筒形状の蓄電池１００において、図３（ａ）に示したように、容器本体１０８の蓋部材１１２側の外側面を固定具１２で固定して、この状態で固定具１２を回転させ、刃物１６を当接させることで、図３（ｂ）に示したように、封入容器１０１の容器本体１０８の外側面に、破断用溝１３２が形成される。
【０１１２】
ここで用いられる加工機１４としては、特に限定されるものではないが、この実施例のように円筒形状の蓄電池１００においては、加工機１４として、旋盤を用い、固定具１２として、蓄電池の外径に合わせたコレットチャックを用意し、刃物１６として、バイトを用いて、破断用溝１３２を形成している。
【０１１３】
また、破断用溝１３２は、その溝の深さは、封入容器１０１の容器本体１０８の外側面の寸法精度を考慮して、封入容器１０１の容器本体１０８を貫通させない程度にするのが望ましい。
【０１１４】
これにより、切削などにより発生する切粉は、封入容器１０１の内部には入らず、電極体１０３には付着しない。また、封入容器１０１を開封しないので、破断用溝入れ工程を大気中で行うことができる。なお、封入容器１０１に付着した切粉などは、エアーブローなどをして、除去すれば良い。
【０１１５】
このため、破断用溝入れ工程を、サイズに制約があり、作業性の悪い不活性ガス雰囲気、例えば、アルゴン雰囲気の作業室２（グローブボックス２）などで行う必要がない。従って、作業の効率が向上するとともに、グローブボックス内に配置されるその他の装置を簡素化することができる。
【０１１６】
すなわち、従来の装置では、切削加工が行われるため、切粉を吸引するための吸引機を、わざわざ限られた不活性ガス雰囲気のグローブボックス内に配設させる必要があったが、本発明では、その必要が全くなく、特に、不活性ガス雰囲気のグローブボックス内に配設される装置を簡素化することができる。
【０１１７】
また、破断用溝１３２を容器本体１０８の外側面に設ける位置は、特に限定されないが、破断用溝入れ工程において、破断用溝１３２を設ける位置が、後述する封入容器分離工程によって封入容器１０１から露出した電極体１０３を、封入容器分離工程において把持できる位置に設けることが望ましい。
【０１１８】
すなわち、この実施例のように円筒形状の蓄電池１００では、図３、図４に示したように、蓄電池１００の長さの中央を境にして、容器本体１０８の外側面の底部側寄りに設けるのが望ましい。
【０１１９】
これは、容器本体１０８に外力を加えて、容器本体１０８を破断用溝１３２より強制的に破断し、蓋側１０８Ａを電極体１０３から分離することによって、電極体１０３の大半を容器本体１０８より露出させることができるからである。
【０１２０】
なお、破断用溝１３２を、極端に容器本体１０８の底部側あるいは蓋部材１１２側に設けてしまうと、容器本体１０８を電極体１０３が露出しなかったり、露出する長さが短かったりすることになる。その結果、電極体１０３を把持できなり、容器本体１０８から電極体１０３を取り出せなくなってしまうので、破断用溝１３２を設ける位置としては、電極体１０３が露出した状態で、電極体１０３を把持する把持代が存在するような位置を適宜選択すればよい。
【０１２１】
また、破断用溝１３２は、封入容器１０１の両端面に対して略平行に設けるのが望ましい。このように、破断用溝を蓄電池の両端面に対して略平行に設けることにより、旋盤やフライスで容易に加工することができる。また、封入容器１０１の破断用溝１３２に対して、外力を加えた際に、この破断用溝１３２から効果的に破断させることができる。
【０１２２】
この場合、破断用溝１３２の溝の形状は、図２３（ａ）に示したように、凹溝でも、角度がついた溝でも構わない。また、溝の幅は、封入容器１０１を、例えば、引張り破断させる場合、後述するように、破断用の溝としての機能だけでなく、把持用の溝として、引っ掛けて滑り止めの役割を果たせるように、図２３（ｂ）に示したように、幅を広くするなどしても良い。
【０１２３】
また、破断用溝１３２の溝の深さは、容器本体１０８の外側面の寸法精度を考慮して、容器本体１０８を貫通させない程度にすれば良い。極端に溝を深くしても良いが、容器本体１０８を手で引張ったり、落としたりする程度で、破断用溝１３２から容器本体１０８より破断したり割れたりしてしまうと、蓄電池１００を次の工程に運ぶ際、誤って封入容器１０１が開封するおそれがある。
【０１２４】
このため、破断用溝１３２は、ある程度の強度を持ち、ネジやエアーシリンダーなどによる大きな外力により、破断させるような溝深さにすることが好ましい。
また、破断用溝１３２の溝の長さは、図４（ａ）に示したように、封入容器１０１の容器本体１０８の外側面に全周に渡り連続的に繋がっていても、図４（ｂ）に示したように、断続的に切れていても構わない。
【０１２５】
このように、破断用溝１３２の溝の長さが、封入容器の外側面に全周に渡り連続的に繋がっていれば、いずれの箇所からも破断が生じ易く、確実に封入容器１０１を破断させて、蓄電池１００を分解することができる。また、破断用溝１３２の溝の長さが、断続的に切れていても、破断用溝１３２が形成されている部分から最初に破断されて、それ以外の箇所も一緒に破断されることとなるため、確実に封入容器１０１を破断させて、蓄電池１００を分解することができる。
【０１２６】
次に、このように破断用溝入れ工程において、破断用溝１３２が容器本体１０８の外側面に形成された蓄電池１００は、図５に示したような、封入容器破断機構２０（封入容器破断工程）に送られる。
【０１２７】
この封入容器破断機構２０は、破断用溝１３２を境にして、封入容器１０１の一方側と他方側を把持した状態で、封入容器１０１に外力を加えることにより、容器本体１０８を破断用溝１３２より破断させ開封するための機構である。
【０１２８】
以下、封入容器１０１の破断用溝１３２を境にして、蓋部材１１２の在る側を、『蓋側』、蓋部材１１２とは逆の容器本体１０８の底に在る側を、『底側』と言う。
図５に示したように、封入容器破断機構２０では、破断用溝１３２を境にして、封入容器１０１の蓋側を把持具２２で把持するとともに、底側を把持具２６で把持する。
【０１２９】
この場合、把持具２２、２６は、円筒形状の封入容器１０１の形状に合わせて、円筒形状のものを用意し、外径寸法に合わせている。
なお、この実施例の封入容器破断機構２０では、図５（ａ）に示したように、蓄電池１００の蓋側のネッキング溝１３０に係止片２４を引っ掛けて把持する把持具２２と、破断用溝入れ工程で形成された破断用溝１３２に係止片２８を引っ掛けて把持する把持具２６と、を備えている。
【０１３０】
この場合、把持具２２、２６としては、上記のような構成のものに特に限定されるものではなく、一般的なコレットチャックやバイスなどで、封入容器１０１を把持することもできる。
【０１３１】
この状態で、封入容器１０１に外力、この実施例の場合には、引張り荷重を加えて、封入容器１０１を材料強度の最も弱い破断用溝１３２より破断し、開封する。なお、この時点で、図５（ｂ）に示したように、容器本体１０８は、蓋側１０８Ａと底側１０８Ｂとに分離されている。
【０１３２】
すなわち、把持具２６の係止片２８に破断用溝１３２を引っ掛けるとともに、把持具２２ではネッキング溝１３０に係止片２４を引っ掛けて、図５（ａ）に示したように、把持具２６を固定して、把持具２２をＡの方向に移動することにより、引張り荷重を加えることにより、容器本体１０８を破断させる。
【０１３３】
なお、この実施例のように、円筒形状の蓄電池１００の場合には、ネッキング溝１３０があるので、把持用の溝として利用することができる。また、破断用溝１３２は、破断用の溝としてだけでなく、把持用の溝として利用している。
【０１３４】
しかしながら、図２３（ｂ）に示したように、破断用溝１３２の幅を広くして、破断用溝１３２に係止片２４、２６の双方を引っ掛けるようにしても良い。
なお、この実施例では、把持具２６を固定し、もう一方の把持具２２を移動するようにしているが、特に限定されるものではなく、逆であっても、また両方ともが移動可能であっても良い。
【０１３５】
次に、このように封入容器破断工程において、容器本体１０８を破断用溝１３２より破断させ開封された蓄電池１００は、図５（ｂ）および（ｃ）に示したような、封入容器分離機構３０（封入容器分離工程）に送られる。
【０１３６】
この封入容器分離機構３０は、破断され分離した容器本体１０８の蓋側１０８Ａと底側１０８Ｂをそれぞれ把持して、互いに離反する方向（矢印Ｂの方向）に移動することで、蓋側１０８Ａと底側１０８Ｂとを互いに離反させる方向に移動させ、これにより、電極体１０３を露出させる機構である。
【０１３７】
すなわち、図５（ｂ）において、ネッキング溝１３０に係止片２４を引っ掛けて把持した把持具２２を、矢印Ｂの方向に移動させていくと、封入容器１０１の内部の電極体１０３が露出されるようになる。
【０１３８】
また、蓋部材１１２と接合された電極体１０３の正極タブ１１４は、引張り荷重が加わることによって、蓋部材１１２の近傍でちぎれて切断されることとなる。
そして、さらに把持具２２を矢印Ｂの方向にさらに移動させると、図５（ｃ）に示したように、電極体１０３は、蓋側１０８Ａから完全に露出されるようになる。
【０１３９】
この場合、容器本体１０８の蓋側と底側を互いに分離する距離は、電極体１０３を把持できる距離であれば良い。
なお、別の把持具を設けて、容器本体１０８の蓋側１０８Ａと、底側１０８Ｂを把持しても良いが、封入容器破断機構２０において、把持具２２、２６によりすでに把持しているので、特に限定されるものではないが、新たに把持手段は用いず、把持具２２、２６をそのまま把持した状態で用いることが好ましい。
【０１４０】
この実施例では、把持具２２、２６をそのまま用いて、把持具２２と把持具２６とを、互いに離反するように移動することにより、容器本体１０８の蓋側１０８Ａと底側１０８Ｂの距離を離して、電極体１０３を露出させている。
【０１４１】
この場合、既に容器本体１０８は、破断され分離しているので、手で引張る程度の力で十分であり、大きな力は必要がなく、送りねじやエアーシリンダーなどは不要である。
特に限定されるものではないが、封入容器破断機構２０において、すでに把持具２２、２６がすでに送りねじやエアーシリンダーなどの移動手段と連結し、把持具２２と把持具２６が離反するように移動する場合は、新たに移動手段を設ける必要がなく、そのまま用いることが好ましい。このため、本実施例では、移動手段も封入容器破断機構２０と同一のものを用いている。
【０１４２】
次に、このように封入容器分離工程において、破断された容器本体１０８の蓋側１０８Ａと底側１０８Ｂを互いに離反させる方向に移動させることによって、電極体１０３が露出された蓄電池１００は、図６に示したような、電極体取り出し機構４０（電極体取り出し工程）に送られる。
【０１４３】
この電極体取り出し機構４０は、封入容器分離機構３０において、蓋側１０８Ａと底側１０８Ｂの距離が離されることにより露出した電極体１０３を把持して、電極体１０３と、残された容器本体１０８の底側１０８Ｂとを、離反するように移動するように構成されている。
【０１４４】
これにより、封入容器１０１内に折り曲げられて収納された集電タブ（正極タブ１１４と負極タブ１１０）を引張ることにより破断させて、封入容器１０１から電極体１０３を取り出す機構である。
【０１４５】
すなわち、図６（ａ）に示したように、電極体１０３を把持具４２で把持し、これを封入容器１０１とは離反する方向（矢印Ｃの方向）に移動させると、図６（ｂ）に示したように、封入容器１０１から電極体１０３が外れるとともに、封入容器１０１の容器底と接続された負極タブ１１０が、容器底の近傍でちぎれて切断されることとなる。
【０１４６】
この場合、特に限定されるものではないが、この実施例おいて、電極体取り出し機構４０についても、封入容器１０１の容器本体１０８の底側１０８Ｂは、封入容器分離機構３０において、把持具２６によってすでに把持されているので、あらため把持する必要はないので、そのまま把持具２６を用いている。
【０１４７】
なお、負極タブ１１０は、銅箔を主材とする負電極１０４と接合されているため、単に電極体１０３を、封入容器１０１とは離反する方向（矢印Ｃの方向）に移動させると、銅箔の方が破れてしまうおそれがある。
【０１４８】
このため、図６（ａ）に示したように、電極体取り出し機構４０の作動時には、負極タブ１１０部分を電極体１０３と一緒に把持具４２で把持し、この状態で把持具４２を封入容器１０１とは離反する方向（矢印Ｃの方向）に移動させて、負極タブ１１０の容器底側が切断されるようにすることが好ましい。
【０１４９】
これにより、図７に示したように、封入容器１０１の内部に電極体１０３が封入された蓄電池１００は、破断用溝１３２を境にして、容器本体１０８の蓋側１０８Ａと底側１０８Ｂとに分離された封入容器１０１と、内部の電極体１０３とに分離されることとなる。
【０１５０】
なお、分解された蓄電池１００を部材毎に分類してリサイクルする場合には、封入容器１０１内から取り出した電極体１０３を別途分解することで、例えば、レアメタルなどの資源物を、簡単でしかも確実に分別回収することができる。
【０１５１】
また取り出された電極体１０３を用いて規格試験を行う場合には、それぞれの試験に応じた手順で試験を進めれば良い。
例えば、ＪＩＳ規格の強制内部短絡試験（ＪＩＳ  Ｃ８７１４：２００７）であれば、満充電された蓄電池１００を分解して取り出された電極体１０３が使用されることとなる。
【０１５２】
この強制内部短絡試験では、所定手順を経た後、取り出された電極体１０３の電圧測定が行われるが、本発明の蓄電池の分解装置１で分解されて取り出された電極体１０３であれば、正極タブ１１４および負極タブ１１０が残された状態であるため、規定の時間内に電圧測定を確実に終えることができる。
【０１５３】
このように本発明の蓄電池の分解装置１および蓄電池分解方法は、上記したように、形状を保持したままの状態で封入容器１０１から電極体１０３を取り出せるため、蓄電池１００を構成する部材の分別を容易にして、資源物のリサイクルを行うことができる。
【０１５４】
また、封入容器１０１を切断させる時は、不活性ガス雰囲気の作業室（例えば、グローブボックス２）内で行うようになっており、しかも内部の電極体１０３には、封入容器１０１が分断されるまで一切触れることがないため、電極体１０３を安全で確実に得ることができ、規格試験に用いられる電極体１０３を得るのに、本発明の蓄電池の分解装置１および蓄電池分解方法は好適である。
【０１５５】
なお、上記実施例では、封入容器破断工程において、封入容器１０１に加える外力として、引張り荷重を用いたが、何らこれに限定されるものではなく、封入容器に対して、封入容器の破断用溝より破断するために加える外力が、引張り、圧縮、ねじり、曲げのいずれかであるか、または、これらの少なくとも２つ以上の組み合わせとすることができる。
【０１５６】
図８（ａ）に、外力が引張り荷重である場合の概略図を示している。
この場合、把持具２２、２６を、離反するように移動させ、強度の最も弱い破断用溝１３２より材料強度（引張り強さ）以上の応力を発生させて、容器本体１０８を破断用溝１３２より引張り破断させる。把持具２２、２６は、両方とも移動しても良いし、片側が固定されていても良い。また、把持具２２、２６は、送りネジやエアーシリンダーなどに連結され、容器本体１０８を破断する力を容易に発生できる。
【０１５７】
また、図８（ｂ）、図８（ｃ）に、外力が圧縮荷重である場合の概略図を示している。
この場合、図８（ｂ）、図８（ｃ）の矢印で示したように、把持具２２、２６を近接させて、破断用溝１３２に圧縮応力を発生させて、容器本体１０８を破断用溝１３２より圧縮破断させる。この場合も、把持具２２、２６は、両方とも移動しても良いし、片側が固定されていても良い。
【０１５８】
なお、図８（ｃ）に示したように、外力が圧縮荷重の場合、把持具２２、２６で封入容器１０１を把持する必要はなく、把持具２２、２６を用いずに、押圧部材２２'、２６'によって、封入容器１０１の両端面を加圧するだけでも良い。また、把持具２２、２６は、送りネジやエアーシリンダーなどに連結され、容器本体１０８を破断する力を容易に発生できる。
【０１５９】
また、図９（ａ）に、外力がねじり荷重である場合の概略図を示している。
この場合、図９（ａ）の矢印で示したように、把持具２２、２６を封入容器１０１の中心軸周りに、互いに相反する方向に回転することにより、容器本体１０８を破断用溝１３２よりねじり破断させる。把持具２２、２６は、両方ともに回転しても良いし、片側が固定されていても良い。また、把持具２２、２６はモーターなどに連結され、容器本体を破断する力を容易に発生できる。
【０１６０】
また、図９（ｂ）に、外力が曲げ荷重である場合の概略図を示している。
この場合、図９（ｂ）の矢印で示したように、把持具２２、２６が、支点Ｐの周りに回転させることで、破断用溝１３２に曲げモーメントを発生させて、容器本体１０８を破断用溝１３２より曲げ破断させる。把持具２２、２６は、支点Ｐの周りに、両方とも回転しても良いし、片側が固定されていても良い。
【０１６１】
把持具２２、２６は、支点周りに回転できるように、リンクやピンなどを介してエアーシリンダーなどに連結され、容器本体１０８を破断する力を容易に発生できる。
なお、曲げ荷重に関しては、破断用溝１３２の位置は、封入容器１０１の長手方向の中央部分などに形成すると、電極体も一緒に曲げてしまうので、蓋部材１１２の近傍、または、容器本体１０８の缶底の近傍に形成するのが望ましい。
【０１６２】
さらに、上記の外力は、単独である場合を説明したが、これらの少なくとも２つ以上の外力を組み合わせても、例えば、封入容器１０１をねじりながら引っ張っても、同様に封入容器１０１を破断用溝１３２より破断することができる。
【０１６３】
なお、最終的に電極体１０３を封入容器１０１から取り出すには、電極体１０３を把持する必要がある。このため、破断（分離）された容器本体１０８の蓋側１０８Ａと底側１０８Ｂを、離反するように移動して、距離を離して、電極体１０３を容器本体１０８から露出させる必要がある。このため、破断（分離）された容器本体１０８を離反する方向が封入容器１０１の中心軸となるので、作業性や装置を考慮すれば、容器本体１０８を破断させる外力は引張りまたは圧縮が最も簡単であり、好ましい。
【０１６４】
なお、この実施例の蓄電池の分解装置（蓄電池の分解方法）では、破断用溝入れ機構１０（破断用溝入れ工程）を設けたが、使用する蓄電池１００として、予め封入容器１０１の容器本体１０８の外側面に、封入容器１０１の内部までは貫通しない破断用溝１３２を設けた蓄電池１００を用いて、破断用溝入れ機構１０（破断用溝入れ工程）を設けないようにすることも可能である。
【０１６５】
このように蓄電池１００が、すなわち、製品として製造、販売される蓄電池１００が、予め封入容器１０１の容器本体１０８の外側面に、封入容器１０１の内部までは貫通しない破断用溝１３２を設けた蓄電池１００であれば、破断用溝入れ機構１０（破断用溝入れ工程）が不要となる。
【０１６６】
従って、例えば、大学や研究機関などにおいて、旋盤などの破断用溝入れ機構１０を有していない場所においても、蓄電池１００の分解方法を実施することができる。
また、このように、破断用溝入れ機構１０（破断用溝入れ工程）が不要であるので、工程が簡略化されて、効率良く蓄電池１００の分解を行うことができる。
【０１６７】
しかも、蓄電池の分解装置として、破断用溝入れ機構１０を備える必要がないので、コンパクトな蓄電池の分解装置を提供することができる。
なお、このように、使用する蓄電池１００として、予め封入容器１０１の容器本体１０８の外側面に、封入容器１０１の内部までは貫通しない破断用溝１３２を設けた蓄電池１００を用いて、破断用溝入れ機構１０（破断用溝入れ工程）を設けないようにすることも可能であることは、以下の実施例においても同様である。
【０１６８】
ところで、上記の破断用溝入れ機構１０（破断用溝入れ工程）は、封入容器内１０１に電極体１０３が封入された蓄電池１００に対して、破断用溝１３２を設けても良いが、封口後の蓄電池１００に破断用溝１３２を設けると、容器本体１０８に表面処理としてメッキが施されている場合、メッキが剥がれてしまい、数年という長い期間で蓄電池１００として使用する際には、破断用溝１３２が腐食し、腐食部から電解液が液漏れてしまうおそれがある。
【０１６９】
このため、容器本体１０８の製造工程において、容器本体１０８に予め破断用溝１３２を設け、従来通り、容器本体１０８にメッキを施せばこの問題が解消する。
従って、破断用溝入れ工程は、容器本体１０８の製造工程の中で行われることが望ましい。すなわち、蓄電池の製造に用いる部材として、予め破断用溝１３２を設けた蓄電池製造用の容器本体１０８を供給するだけで、従来の蓄電池１００の製造設備を用いて、予め破断用溝１３２を設けた蓄電池製造用の容器本体１０８に電極体１０３を挿入し、注液し、封口できるので、破断用溝１３２を設けた蓄電池１００を簡単に製造することができる。
【０１７０】
図２４は、このような予め破断用溝１３２を設けた、円筒形状の蓄電池１００を製造する際に用いる部材である、蓄電池製造用の容器本体１０８の正面図であって、図２４（ａ）は、破断用溝１３２が、直線状に、容器本体１０８の外側面に全周に渡り連続的に繋がった状態に形成された容器本体１０８の正面図、図２４（ｂ）は、破断用溝１３２が、部分線状に、断続的に切れた状態に形成された容器本体１０８の正面図を示している。
【０１７１】
なお、円筒形状の蓄電池１００を製造する際に用いる部材である、蓄電池製造用の容器本体１０８の材質としては、特に限定されるものではないが、例えば、鉄鋼材にニッケルメッキ処理を施したものが使用可能である。
【０１７２】
図１０は、本発明の別の実施例の封入容器分離機構３０（封入容器分離工程）と、電極体取り出し機構４０（電極体取り出し工程）の構成について説明する概略図である。
この実施例の封入容器分離機構３０、電極体取り出し機構４０は、図５および図６に示した封入容器分離機構３０、電極体取り出し機構４０と基本的には同様な構成であり、同一の構成部材には、同一の参照番号を付して、その詳細な説明を省略する。
【０１７３】
この実施例では、予め、破断用溝入れ工程において、蓄電池１００の封入容器１０１の容器本体１０８の外側面に、容器本体１０８の長手方向の略中央部分に破断用溝１３２を形成している。また、予め、封入容器破断工程において、封入容器１０１に外力として引っ張り荷重を加えて、封入容器１０１を材料強度の最も弱い破断用溝１３２より破断し、開封している。
【０１７４】
そして、図１０（ａ）に示したように、封入容器分離機構３０では、破断され分離した容器本体１０８の蓋側１０８Ａと底側１０８Ｂをそれぞれ、把持具２２、２６によって把持して、互いに離反する方向（図１０（ａ）の矢印の方向）に移動させる。これにより、破断された容器本体１０８Ａ、１０８Ｂを互いに離反する方向に移動させて、電極体１０３を露出させている。
【０１７５】
この際、図１０（ａ）に示したように、電極体取り出し機構４０の一部を構成する電極体１０３の把持手段として、露出した電極体１０３を上下方向から挟持する上下一対の把持具４２が設けられており、露出した電極体１０３とは離間した位置にある。
【０１７６】
そして、この状態から、図１０（ｂ）の矢印で示したように、電極体取り出し機構４０の一部を構成する、上下一対の把持具４２の間隔を狭めるように移動させて、露出した電極体１０３の外表面を挟持した状態とする。
【０１７７】
次いで、図１０（ｃ）に示したように、このように露出した電極体１０３を、上下一対の把持具４２で挟持した状態で、しかも、容器本体１０８の蓋側１０８Ａと底側１０８Ｂをそれぞれ、把持具２２、２６によって把持した状態で、図１０（ｃ）の矢印で示したように、容器本体１０８の蓋側１０８Ａと底側１０８Ｂを相互に離反するように移動させる。
【０１７８】
これにより、図１０（ｃ）に示したように、封入容器１０１内に折り曲げられて収納された集電タブ（正極タブ１１４と負極タブ１１０）を引張ることにより破断させることができる。すなわち、正極タブ１１４は、蓋部材１１２から、負極タブ１１０は、容器本体１０８の缶底からそれぞれ溶接などの接合部から外れた状態となる。
【０１７９】
そして、図１０（ｄ）の矢印で示したように、容器本体１０８の蓋側１０８Ａと底側１０８Ｂを相互に離反するようにさらに移動させる。これにより、図１０（ｄ）に示したように、封入容器１０１の内部に電極体１０３が封入された蓄電池１００は、破断用溝１３２を境にして、容器本体１０８の蓋側１０８Ａと底側１０８Ｂとに分離された封入容器１０１と、内部の電極体１０３とに分離されることとなる。
【０１８０】
なお、集電タブを切断具などでカットせずに、電極体１０３を取り出すことができる。また、把持具４２は、電極体１０３と負極タブ１１０の双方を把持している。
なお、この実施例では、把持具４２として、上下一対の把持具４２で挟持するような把持具４２を用いたが、把持具４２としては、特に限定されるものではない。
【０１８１】
例えば、把持具４２は露出した電極体の外側面を、この実施例のように上下方向から挟持する構成のものの他、左右方向から挟持するものであってもよい。
さらに、特に、円筒形状の蓄電池１００においては、負極タブ１１０が最外周に配置されているので、把持具４２は、電極体１０３の外径に合うような形状を有し、電極体１０３の全外周面を把持することで、電極体１０３と負極タブ１１０の双方を把持することが好ましい。
【０１８２】
このようにすることで、負極タブ１１０は、把持具４２により把持されているため、電極体１０３と負極タブ１１０を溶接などにより接合した接合部には、せん断荷重がかからない。
【０１８３】
このため、電極体１０３と、容器本体１０８の底側１０８Ｂとを離反するように移動することで、負極タブ１１０に引張り荷重を加えれば、負極タブ１１０は、電極体１０３からではなく、容器本体１０８の缶底から確実に外すことが可能である。従って、負極タブ１１０をカットするような、切断具や作業が不要となる。
【０１８４】
また、円筒形状の蓄電池１００の正極タブ１１４は、電極体１０３の中心付近に配置されているので、電極体１０３の外周を把持具４２により把持しても、正極タブ１１４は把持できない。
【０１８５】
しかしながら、正極タブ１１４の溶接などによる接合強度は、電極体１０３の接合強度と蓋部材１１２との接合強度と比べた場合、電極体１０３との接合強度の方が、圧倒的に強くなるような構造を有している。
【０１８６】
このため、電極体１０３と容器本体１０８の蓋側１０８Ａを離反する方向に移動させることにより、正極タブ１１４に引張り荷重を加えた場合、正極タブ１１４も、電極体１０３からではなく、蓋側１０８Ａから外すことが可能である。
【０１８７】
なお、正極タブ１１４と蓋部材１１２との接合は、過電流が発生した際、正極タブ１１４と蓋部材１１２とが外れるように、一点接合になっているのに対し、正極タブ１１４は、電極体１０３の正極箔と数点、あるいは線や面で接合されている。
【０１８８】
ところで、電極体１０３からレアメタルを取り出すようなリサイクルを目的とする場合、電極体１０３に集電タブが付いているかどうかは問題にはならない。しかしながら、強制内部短絡試験においては、取り出した満充電された電極体１０３を電圧測定する必要がある。
【０１８９】
集電タブ（正極タブ１１４、負極タブ１１０）が電極体１０３に付いた状態であれば、集電タブにクリップなどを用いて電圧計に接続するだけ、電極体１０３の電圧測定が容易に行うことができる。この実施例のように、集電タブが電極体１０３に付いた状態で、封入容器１０１から電極体１０３を取り出すことができれば、電極体１０３の電圧測定も容易に行うことができる。
【０１９０】
図１１および図１２は、本発明の別の実施例の封入容器分離機構３０（封入容器分離工程）と、電極体取り出し機構４０（電極体取り出し工程）の構成について説明する概略図である。
【０１９１】
この実施例の封入容器分離機構３０、電極体取り出し機構４０は、図１０に示した封入容器分離機構３０、電極体取り出し機構４０と基本的には同様な構成であり、同一の構成部材には、同一の参照番号を付して、その詳細な説明を省略する。
【０１９２】
この実施例では、図１０の実施例の封入容器分離機構３０と同様に、予め、破断用溝入れ工程において、蓄電池１００の封入容器１０１の容器本体１０８の外側面に、容器本体１０８の長手方向の略中央部分に破断用溝１３２を形成している。また、予め、封入容器破断工程において、封入容器１０１に外力として引っ張り荷重を加えて、封入容器１０１を材料強度の最も弱い破断用溝１３２より破断し、開封している。
【０１９３】
そして、図１１（ａ）の矢印で示したように、封入容器分離機構３０では、把持具２２、２６を離反する方向に動かすことにより、破断用溝１３２を境に破断分離した容器本体１０８の蓋側１０８Ａと底側１０８Ｂの距離を離して、電極体１０３を露出させる。
【０１９４】
次に、図１１（ｂ）の矢印で示したように、封入容器分離機構３０を用いて、把持具２６側を固定して、把持具２２を把持具２６から離反するように移動させる。
これにより、容器本体１０８の蓋側１０８Ａを電極体１０３に対して離反するように移動させることにより、正極タブ１１４に引張り荷重をかけて、正極タブ１１４を蓋側１０８Ａから引張り破断させる。
【０１９５】
さらに、図１１（ｃ）の矢印で示したように、さらに把持具２２を移動して、容器本体１０８の蓋側１０８Ａに収納されていた電極体１０３を完全に露出させる。
次に、図１２（ａ）の矢印で示したように、電極体取り出し機構４０の把持具４２を用いて、露出した電極体１０３を把持する。この場合、把持具４２は、図示しないが、電極体１０３と負極タブ１１０の双方を把持している。
【０１９６】
この状態で、図１２（ｂ）の矢印で示したように、把持具４２を移動させて、電極体１０３を蓋側１０８Ｂから離反する方向に移動させることによって、負極タブ１１０に引張り荷重を加えて、負極タブを底側１００Ｂから引張り破断させる。
【０１９７】
さらに、図１２（ｃ）に示したように、さらに把持具４２を矢印方向に移動させることによって、電極体１０３を容器本体１０８の底側１０８Ｂから取り出すことができる。
以下に、本発明の別の蓄電池の分解方法およびそのための蓄電池の分解装置について、図１３〜図１８の実施例について説明する。
【０１９８】
この実施例では、図１３（ａ）に示した四角柱形状を有する蓄電池１００が分解対象である。
このような蓄電池１００は、図２に示した円筒形状のものと基本的には同じ部材から構成されているが、円筒形状の蓄電池とは、図１３に示したように、形状が四角柱状であるために電極体１０３が扁平形状である点、負極タブ１１０の接続箇所が蓋部材１１２側である点、封入容器１０１にネッキング溝１３０がない点が相違する。なお、四角柱形状の蓄電池１００は、容器本体１０８は、アルミ材である。
【０１９９】
また、この実施例の対象である四角柱形状の蓄電池１００は、図１３（ｂ）に示したように、集電タブ（正極タブ１１４、負極タブ１１０）は、封入容器１０１とは、蓋部材１１２に溶接などにより接合されている。
【０２００】
また、集電タブ（正極タブ１１４、負極タブ１１０）は、電極体１０３と集電箔に溶接などにより接合されている。そして、集電タブ（正極タブ１１４、負極タブ１１０）は、電極体１０３の中央部に配置されている。
【０２０１】
なお、図１３についても、説明の便宜上、主たる部材のみを図示している。
さらに、この実施例における蓄電池１００についても、蓋部材１１２の在る側を、『蓋側』、蓋部材１１２とは逆の封入容器１０１の底の側を、『底側』と言う。
【０２０２】
このような四角柱形状の蓄電池１００では、図１４（ａ）に示したように、破断用溝入れ工程において、破断用溝入れ機構１０により、容器本体１０８の底部側の外側面を固定具１２で固定する。
【０２０３】
この状態で、容器本体１０８の蓋側の外側面に、加工機１４の刃物１６を当接させて回転させ、封入容器１０１の容器本体１０８外側面に沿うように移動させ、破断用溝１３２を形成した。
【０２０４】
次いで、この破断用溝１３２が形成された蓄電池１００は、図１４（ｂ）に示したように、破断用溝入れ機構１０の固定具１２で、図１４（ａ）とは逆に、容器本体１０８の蓋側が固定される。
【０２０５】
この状態で、図１４（ｂ）に示したように、容器本体１０８の底側の外側面に、把持用溝入れ機構として、加工機１４の刃物１６を当接させて回転させ、封入容器１０１の容器本体１０８外側面に沿うように移動させることにより、図１４（ｃ）に示したように、封入容器１０１の容器本体１０８の底側の外側面に、破断用溝１３２と平行に把持用溝１３４を形成した。
【０２０６】
なお、把持用溝１３４は、後述するように、封入容器破断機構２０において、把持具２６の係止片２８を引っ掛けるためのものである。
この場合、用いられる加工機１４としては、特に限定されるものではないが、加工機１４にフライス盤を用い、固定具１２には、バイスを用意し、刃物１６には、メタルソーを用いて、破断用溝１３２と把持用溝１３４を形成している。
【０２０７】
また、破断用溝１３２を容器本体１０８の外側面に設ける位置は、特に限定されないが、破断用溝入れ工程において、破断用溝１３２を設ける位置が、後述する封入容器分離工程によって封入容器１０１から露出した電極体１０３を、封入容器分離工程において把持できる位置に設けるのが望ましい。
【０２０８】
すなわち、この実施例にように四角柱形状の蓄電池１００では、図１４、図１５に示したように、蓄電池１００の長さの中央を境にして、容器本体１０８の蓋側寄りに設けるのが望ましい。
【０２０９】
また、この実施例のような四角柱形状の蓄電池１００は、通常、図２に示した円筒形状の蓄電池１００のように、ネッキング溝１３０が設けられておらず、容器本体１０８の外側面がフラットな面であるため、封入容器１０１を一方側と他方側に引張る際に引張り難い。このため、把持用の把持用溝１３４を破断用溝１３２とともに形成することが好ましい。
【０２１０】
なお、この把持用溝１３４は、あくまで把持具２６を引っ掛ける箇所であって破断させるための溝ではないため、破断用溝１３２よりも溝の深さを浅くなどして、破断用溝１３２より強度があれば良い。
【０２１１】
なお、ここで破断用溝入れ機構１０と把持用溝入れ機構とは、同一のものであって、一つの構成で両機構として使用しても良い。
また、破断用溝１３２、把持用溝１３４の溝の長さは、図１５（ａ）に示したように、封入容器１０１の容器本体１０８の外側面に全周に渡り連続的に繋がっていても、図１５（ｂ）に示したように、断続的に切れていても構わない。
【０２１２】
しかしながら、これら破断用溝１３２と把持用溝１３４は、特にこれらの形態に限定されるものではなく、把持用溝１３４に把持具２６の係止片２８を引っ掛けることができて、破断用溝１３２を境に一方側と他方側に封入容器１０１を破断させることができれば、どのような形態であっても良い。
【０２１３】
なお、この実施例のような四角柱形状の蓄電池１００の場合には、破断用溝１３２については、最低限、強度が強くなり易いコーナー部分に形成することで、確実に破断を生じさせるようにすることができる。
【０２１４】
次に、このように破断用溝入れ工程において、破断用溝１３２と把持用溝１３４とが容器本体１０８の外側面に形成された蓄電池１００は、図１６に示したような、封入容器破断機構２０（封入容器破断工程）、封入容器分離機構３０（封入容器分離工程）に送られる。
【０２１５】
封入容器破断機構２０、封入容器分離機構３０では、図１６（ａ）に示したように、容器本体１０８の蓋側に形成された破断用溝１３２に把持具２２の係止片２４を引っ掛けて把持する。
【０２１６】
一方、容器本体１０８の底側に形成された把持用溝１３４にも把持具２６の係止片２８を引っ掛けて把持する。
この状態で、封入容器１０１に外力、この実施例の場合には、引っ張り荷重を加えて、封入容器１０１を材料強度の最も弱い破断用溝１３２より破断し、開封する。
【０２１７】
すなわち、図１６（ａ）に示したように、把持用溝１３４に係止片２８を引っ掛けた容器本体１０８の底側の把持具２６を固定し、破断用溝１３２に係止片２４を引っ掛けた把持具２２を、把持具２６に対して離反する方向（図１６（ａ）の矢印Ｄの方向）に移動させる。
【０２１８】
これにより、図１６（ｂ）に示したように、封入容器１０１の破断用溝１３２を境にして、蓋側１０８Ａと底側１０８Ｂとに、封入容器１０１が破断されて、電極体１０３の一部が露出されることとなる。
【０２１９】
この際、蓋部材１１２と接合された電極体１０３の正極タブ１１４は、封入容器１０１の破断によって、蓋部材１１２の近傍で切断されることとなるが、負極タブ１１０については、図１６（ｂ）に示したように蓋部材１１２に接続されたままとなる場合がある。
【０２２０】
この場合には、図１６（ｃ）に示したように、絶縁性を有する切断具（例えば、セラミックス製のはさみ）５２で、負極タブ１１０を切断することが好ましい。
なお、この場合にも、図１〜図６に示した円筒形状の蓄電池１００の実施例と同様に、図８（ａ）に示したように、外力が引張り荷重である場合、図８（ｂ）、図８（ｃ）に示したように、外力が圧縮荷重である場合、図９（ａ）に示したように、外力がねじり荷重である場合、図９（ｂ）に示したように、曲げ荷重である場合と同様に、外力は、単独である場合でも、これらの少なくとも２つ以上の外力を組み合わせても、例えば、封入容器１０１をねじりながら引っ張っても、同様に封入容器１０１を破断用溝３２より破断することができる。
【０２２１】
次に、このように封入容器破断工程、封入容器分離工程において、電極体１０３が露出された蓄電池１００は、図１７に示したような、電極体取り出し機構４０（電極体取り出し工程）に送られる。
【０２２２】
電極体取り出し機構４０では、図１７（ａ）に示したように、電極体１０３の露出された部分が把持具４２で把持されることとなる。
次いで、図１７（ｂ）に示したように、この状態でこの把持具４２を封入容器１０１に対して、離反する方向（矢印Ｅの方向）に移動させることによって、電極体１０３が封入容器１０１から完全に外れることとなる。
【０２２３】
これにより、図１８に示したように、封入容器１０１の内部に電極体１０３が封入されていた四角柱形状の蓄電池１００は、破断用溝１３２を境にして底側１０８Ｂと蓋側１０８Ａとに分離された封入容器１０１と、内部の電極体１０３とに分離されることとなる。
【０２２４】
なお、封入容器１０１を把持し易くするための把持用溝１３４を設ける場合、上記と同様に、封入容器１０１内に電極体１０３が封入された蓄電池１００に対して、把持用溝１３４を設けても良いが、封口後に蓄電池１００に把持用溝１３４を設けると、容器本体１０８に表面処理としてメッキが施されている場合、メッキが剥がれてしまい、数年という長い期間で蓄電池１００として使用する際には、把持用溝１３４が腐食し、腐食部から電解液が液漏れてしまうおそれがある。
【０２２５】
このため、容器本体１０８の製造工程において、容器１０８に予め把持用溝１３４を設け、従来通り、容器本体１０８にメッキを施すのが望ましい。
図２５は、このような予め破断用溝１３２と把持用溝１３４を設けた、四角柱形状の蓄電池を製造する際に用いる部材である、蓄電池製造用の容器本体１０８の正面図であって、図２５（ａ）は、破断用溝１３２と把持用溝１３４が、直線状に、容器本体１０８の外側面に全周に渡り連続的に繋がった状態に形成された容器本体１０８の正面図、図２５（ｂ）は、破断用溝１３２と把持用溝１３４が、部分線状に、断続的に切れた状態に形成された容器本体１０８の正面図を示している。
【０２２６】
なお、四角柱形状の蓄電池１００を製造する際に用いる部材である、蓄電池製造用の容器本体１０８の材質としては、特に限定されるものではないが、例えば、アルミ材が使用可能である。
【０２２７】
蓄電池１００の形状に関わらず、蓄電池製造用の容器本体１０８の材質として、例えば、アルミ材を用いれば、錆止めとしてのメッキ処理は不要となり、破断用溝１３２を設けても、メッキが剥がれることによる腐食の問題は起きない。しかしながら、破断用溝１３２を最も安価に容易に設ける観点からも、破断用溝入れ工程は、容器本体１０８の製造工程の中で行われることが望ましい。
【０２２８】
さらに、例えば、大学や研究機関などにおいて、旋盤などの破断用溝入れ機構１０（破断用溝入れ工程）を有していない場所においても、蓄電池１００を製造するための部材として、予め破断用溝１３２を設けた蓄電池製造用の容器本体１０８を供給するだけで、従来の製造設備を用いて、予め破断用溝１３２を設けた蓄電池１００を簡単に製造することが可能となる。
【０２２９】
図１９〜図２１は、本発明の別の実施例の封入容器分離機構３０（封入容器分離工程）と、電極体取り出し機構４０（電極体取り出し工程）の構成について説明する概略図である。
【０２３０】
この実施例の封入容器分離機構３０、電極体取り出し機構４０は、図１６および図１７に示した封入容器分離機構３０、電極体取り出し機構４０と基本的には同様な構成であり、同一の構成部材には、同一の参照番号を付して、その詳細な説明を省略する。
【０２３１】
この実施例では、四角柱形状の蓄電池１００を対象としており、予め、破断用溝入れ工程において、蓄電池１００の封入容器１０１の容器本体１０８の外側面に、容器本体１０８の長手方向の略中央部分に破断用溝１３２を形成している。
【０２３２】
また、予め、封入容器破断工程において、封入容器１０１に外力として引張り荷重を加えて、封入容器１０１を材料強度の最も弱い破断用溝１３２より破断し、開封している。
そして、図１９（ａ）の矢印で示したように、封入容器分離機構３０では、破断され分離した容器本体１０８の蓋側１０８Ａを把持具２２で把持するとともに、底側１０８Ｂを把持具２６で把持している。
【０２３３】
そして、この状態で、把持具２２と把持具２６を、互いに離反する方向（図１９（ａ）の矢印の方向）に移動させる。これにより、破断された容器本体１０８Ａ、１０８Ｂを互いに離反する方向に移動させて、電極体１０３を露出させている。
【０２３４】
さらに、図１９（ｂ）の矢印で示したように、把持具２６側を固定して、把持具２２を把持具２６に対して離反する方向に移動させることによって、把持具２６に把持された電極体１０３と、把持具２２によって把持された容器本体１０８の蓋側１０８Ａが離反する方向に移動する。
【０２３５】
これにより、集電タブ（正極タブ１１４、負極タブ１１０）には、引張り荷重がかかり、集電タブ（正極タブ１１４、負極タブ１１０）が、蓋部材１１２から外れる。
さらに、図１９（ｂ）の矢印で示したように、さらに把持具２２を、把持具２６に対して離反する方向に移動させる。これにより、図１９（ｃ）に示したように、把持具２６に把持された電極体１０３に対して、把持具２２に把持された容器本体１０８の蓋側１０８Ａを離反する方向に移動させて、容器本体１０８の蓋側１０８Ａに収納されていた電極体１０３を完全に露出させる。
【０２３６】
そして、この状態から、図２０（ａ）に示したように、電極体取り出し機構４０の一部を構成する電極体１０３の把持手段として、露出した電極体１０３を上下方向から挟持する上下一対の把持具４２を用いて、電極体１０３の外側面を把持した状態とする。
【０２３７】
次いで、図２０（ｂ）に示したように、把持具４２を把持具２６に対して離反する方向に移動させることで、把持具４２に把持された電極体１０３を、把持具２６に把持された容器本体１０８の底側１０８Ｂに対して、離反する方向に移動させる。これにより、電極体１０３を、把持具２６に把持された容器本体１０８の底側１０８Ｂから取り出すことができる。
【０２３８】
ところで、図２１（ａ）に示したように、集電タブ（正極タブ１１４、負極タブ１１０）は、引張り荷重を加えた場合、負極タブ１１０だけが、電極体１０３との接合部（負極箔と負極タブの接合部）から外れてしまい、電極体１０３から負極タブ１１０が外れてしまう場合がある。なお、この現象は、蓄電池製造業者による製造工程などの違いにより発生するが、ごく稀なケースである。
【０２３９】
電圧測定をする際には、取り出された電極体１０３には、集電タブ（正極タブ１１４、負極タブ１１０）が共に付いていることが好ましい。しかしながら、円筒形状の蓄電池１００とは異なり、この実施例の対象とする四角柱形状の蓄電池１００は、把持具４２により電極体１０３の外側面を把持しても、集電タブ（正極タブ１１４、負極タブ１１０）を一緒に把持することができない。
【０２４０】
このため、図２１（ｂ）に示したように、負極タブ１１０を、セラミックスなどの絶縁性をもつ切断具５２で、負極タブ１１０が電極体１０３から抜けてしまう前に、カットするのが望ましい。
【０２４１】
図２１（ｃ）に示したように、負極タブ１１０のみは、電極体との接合部からは外れているが、集電タブ（正極タブ１１４、負極タブ１１０）は長いので、負極タブ１１０は、電極体１０３にしっかりと触れている。
【０２４２】
このため、集電タブ（正極タブ１１４、負極タブ１１０）に、電圧計を接続して、電極体１０３の電圧を測定したところ、分解の前と後で、電圧降下がないので、このような集電タブが接合部から外れた電極体に対しても、強制内部短絡試験のような規格試験に用いることができる。このように、作業工程が増えるが、切断具５２などを用いて集電タブをカットしても良い。
【０２４３】
図２２は、本発明の別の実施例の蓄電池の分解方法およびそのための蓄電池の分解装置の実施例の構成について説明する概略図である。
この実施例の蓄電池の分解方法およびそのための蓄電池の分解装置は、図１６〜２１に示した実施例と基本的には同様な構成であり、同一の構成部材には、同一の参照番号を付して、その詳細な説明を省略する。
【０２４４】
この実施例では、四角柱形状の蓄電池１００を対象としており、予め、破断用溝入れ工程において、蓄電池１００の封入容器１０１の容器本体１０８の外側面に、第１の破断用溝１３２Ａと、第２の破断用溝１３２Ｂの複数本の破断用溝１３２設けている。
【０２４５】
この場合、第１の破断用溝１３２Ａは、電極体が露出しない程の極端に蓋寄りに設けており、第２の破断用溝１３２Ｂは、電極体が露出するような位置に設けている。
この第１の破断用溝１３２Ａは、集電タブ（正極タブ１１４、負極タブ１１０）をカットするための破断用溝であり、上記した実施例と同様にして、図２２（ａ）に示したように、封入容器破断工程、封入容器分離工程で、この第１の破断用溝１３２Ａを境に、封入容器１０１（容器本体１０８）を破断し、開封させている。これにより、容器本体１０８の蓋側１０８Ａを、電極体１０３を収容した容器本体１０８の底側１０８Ｂから離反させる。
【０２４６】
そして、図２２（ｂ）に示したように、集電タブ（正極タブ１１４、負極タブ１１０）を、セラミックスなどの絶縁性をもつ切断具５２で、カットする。この場合、集電タブ（正極タブ１１４、負極タブ１１０）には、引張り荷重がかからないので、電極体１０３から外れてしまうことがない。
【０２４７】
次いで、上記した実施例と同様にして、図２２（ｃ）に示したように、封入容器破断工程、封入容器分離工程、電極体取り出し工程を実施して、第２の破断用溝１３２Ｂより容器本体１０８を破断させて分離して、容器本体１０８より電極体１０３を露出させた後、上記の実施例と同様に、容器本体１０８から電極体１０３を取り出すようになっている。
【実施例１】
【０２４８】
分解対象として、電圧３．８Ｖに充電された円筒形状のリチウムイオン電池１００（直径φ１８ｍｍ、長さ６５ｍｍ，）を用意した。容器本体１０８は鉄鋼材にニッケルメッキが施され、肉厚は０．２ｍｍである。
【０２４９】
このリチウムイオン電池の外側面に、図３に示された破断用溝入れ機構１０を用いて幅１ｍｍ，深さ０．１ｍｍの直線状の破断用溝１３２を大気中で形成した。なお、破断用溝１３２の形成位置は、容器底から６ｍｍとした。図４（ａ）に破断用溝１３２が形成された円筒形状の蓄電池１００を示す。
【０２５０】
破断用溝１３２が形成された封入容器１０１は、手で引張ったり、落下させたりしても、破断せず、十分な強度が保たれていることを確認した。蓄電池１００をハンドリングする際、軽い衝撃や荷重などで、封入容器１０１が開封してしまえば、誤って大気中で開封しておそれがある。このため、破断用溝１３２は十分な強度が保たれていることが好ましい。
【０２５１】
なお、破断用溝１３２の幅や深さや溝形状は、便宜変更可能である。例えば、破断用溝１３２の幅を大きくして、次の工程で用いる把持具２２、２６の係止片２４、２８を破断用溝１３２に嵌めて把持しても良い。
【０２５２】
円筒形状のリチウムイオン二次電池１００は、容器本体１０８より電極体１０３を取り出す際、蓋側１０８Ａと底側１０８Ｂを比較した場合、底側１０８Ｂの方が遥かに取り出しにくい。これは、電極体１０３の外径は、下側（容器底側）が大きく、負極のタブ１１０の厚み０．１ｍｍ程度だけ径が大きいことや、また、タブの溶接強度は負極側の方が強いことなどが挙げられる。このため、破断用溝１３２の形成位置は、容器本体１０８の底寄りに入れることが好ましい。
【０２５３】
破断用溝入れ工程は、容器本体１０８を切断して開封しないので、大気中で行うことができる。このため、設備の大きさに制限がない。大量に行う場合などは、専用機が好ましいが、今回は旋盤を使用した。封入容器のみに付着した切粉はエアーブローなどをして、除去すれば良い。
【０２５４】
また、充電した蓄電池１００を用いたが、誤って溝を深く入れ過ぎてしまうと、刃物１６や切粉により電極体１０３を短絡させてしまい、発熱や発火のおそれがある。作業の安全性を考慮すれば、放電した蓄電池１００に破断用溝１３２を形成した後に、充電すれば良い。
【０２５５】
次いで、不活性ガス雰囲気の作業室２（グローブボックス）にて、図５（ａ）に示された封入容器破断機構２０で、容器本体１０８を、破断用溝１３２を境にして、把持具２２、２６でそれぞれ把持した。
【０２５６】
なお、把持具２２は、封入容器１０１のネッキング溝１３０に係止片２４を嵌めて把持するようにし、把持具２６は、破断用溝１３２に係止片２８を嵌めて把持するようにした。
【０２５７】
次いで、把持具２６を固定し、把持具２２を、把持具２６に対して離反する方向（矢印Ａの方向）に移動させた。把持具２２は送りネジ（不図示）と連結されて、ハンドル（不図示）を操作することにより移動する。
【０２５８】
これにより容器本体１０８は、図５（ｂ）に示したように、破断用溝１３２から、送りネジの力で引張り破断して開封され、蓋側１０８Ａと底側１０８Ｂとに分離する。
さらに把持具２２を、把持具２６に対して離反する方向（図５（ｂ）の矢印の方向）に移動させ、これにより、把持具２２に把持された蓋側１０８Ａに対して、把持具２６に把持された底側１０８Ｂを、離反する方向（図５（ｂ）の矢印の方向）に移動させた。
【０２５９】
そして、図５（ｂ）に示したたように、正極タブ１１４に、引張り荷重を発生させて、正極タブ１１４を蓋側１０８Ａから外した。
さらに、図５（ｃ）に示したように、把持具２２を図５（ｂ）の矢印の方向に移動させて、電極体１０３を蓋側１０８Ａから露出させる。
【０２６０】
この場合、破断用溝１３２を容器本体１０８の底寄りに設けることにより、電極体１０３の大半を露出させ、電極体１０３を取り出し易い状態になっている。
次いで、図６（ａ）に示された電極体取り出し機構４０の把持具４２により、露出した電極体１０３の外周を把持することで、負極タブ１１０も把持する。この状態で、把持具４２に連結されたレバー（不図示）を操作することにより、把持具４２を把持具２６に対して離反する方向（図６の矢印Ｃ方向）に移動させる。
【０２６１】
これにより、把持具４２に把持された電極体１０３を、把持具２６に把持された容器本体１０８の底側１０８Ｂに対して、離反する方向に移動させる。
これにより、図６（ｂ）に示したように、負極タブ１１０には引張り荷重が加わり、負極タブ１１０は、容器本体１０８の底側１０８Ｂから外れる。
【０２６２】
把持具４２は、負極タブ１１０も把持しているので、確実に負極タブ１１０を底側１０８Ｂから外すことができる。さらに、図６（ｂ）に示したように、把持具４２をさらに移動させて、電極体１０３を容器本体１０８の底側１０８Ｂより取り出した。
【０２６３】
分解して取り出した電極体１０３の正極タブ１１４と負極タブ１１０に、電圧計を接続し、電圧を測定したところ、分解前と電圧変化を生ずることがないことが確認された。
また、破断された封入容器１０１には、切粉は確認されなかった。さらに、封入容器１０１から取り出された電極体１０３には、損傷もなく、作業性の悪いグローブボックス内において、安全に簡単に分解ができることが確認された。
【実施例２】
【０２６４】
分解対象として、電圧３．８Ｖに充電された四角柱形状のリチウムイオン電池１００（長辺幅３４ｍｍ，短辺幅１０ｍｍ，長さ５０ｍｍ）を用意した。容器本体１０８はアルミ材で肉厚０．５ｍｍである。
【０２６５】
このリチウムイオン電池の外側面に、図１４に示された破断用（把持用）溝入れ機構１０を用いて、容器本体１０８の蓋部材１１２の端面より１０ｍｍの位置に、幅１ｍｍ，深さ０．３５ｍｍの直線状の破断用溝１３２を全周に渡り形成した。
【０２６６】
さらに、幅１ｍｍ，深さ０．３５ｍｍで、コーナー部分以外の箇所に把持用溝１３４を形成した。
なお、把持用溝１３４の形成位置は、容器底の端面から１０ｍｍとした。以上の様にして、四角柱形状の蓄電池１００に、図１５（ａ）に示したように、破断用溝１３２と把持用溝１３４を形成した。
【０２６７】
これらの破断用溝１３２と把持用溝１３４を形成を大量に行う場合などは、専用機を用いるのが好ましいが、今回はフライス盤を使用している。容器本体１０８のみに付着した切粉はエアーブローなどをして、除去すれば良い。
【０２６８】
次いで、不活性ガス雰囲気の作業室２（グローブボックス）にて、図１６（ａ）に示した封入容器破断機構２０で、まず封入容器１０１の蓋側の破断用溝１３２に、把持具２２の係止片２４を掛けて把持した。
【０２６９】
さらに、封入容器１０１の容器底側の把持用溝１３４に、把持具２６の係止片２８をかけて把持した。
次いで、容器本体１０８の底側１０８Ｂの把持具２６を固定し、図１６（ｂ）に示したように、容器本体１０８の蓋側１０８Ａの把持具２２を、把持具２６に対して離反する方向（図１６（ａ）の矢印Ｄの方向）に移動させた。把持具２２は送りネジ（不図示）と連結されて、ハンドル（不図示）を操作することにより移動する。
【０２７０】
これにより、容器本体１０８は、破断用溝１３２より、ネジの力で破断開封して、蓋側１０８Ａと底側１０８Ｂに分離される。
さらに、図１６（ｂ）に示したように、把持具２２をさらに移動して、集電タブ（正極タブ１１４、負極タブ１１０）に引張り荷重を加えて、正極タブ１１４は蓋部材１１２の接合部から、負極タブ１１０は電極体の接合部から外れた状態で、電極体１０３を蓋側１０８Ａより露出させた。
【０２７１】
次に、図１６（ｃ）に示したように、セラミックスなどの絶縁性を有する切断具５２を用いて、負極タブ１１０を切断しカットした。
次に、図１７に示したように、電極体取り出し機構４０を用いて、露出された電極体１０３の外側面を把持具４２で把持し、把持具４２を把持具２６に対して離反する方向に移動させて、容器本体１０８の底側１０８Ｂから電極体１０３を取り出した。
【０２７２】
分解して取り出した電極体１０３の正極タブ１１４と負極タブ１１０に、電圧計を接続し、電圧を測定したところ、分解前と電圧変化を生ずることがないことが確認された。
また、破断された容器本体１０８には、切粉などは確認されなかった。
【０２７３】
さらに、封入容器１０１から取り出された電極体１０３には、損傷もなく、作業性の悪いグローブボックス内において、安全に簡単に分解ができることが確認された。
以上、本発明の好ましい実施の態様を説明してきたが、本発明はこれに限定されることはなく、本発明の目的を逸脱しない範囲で種々の変更が可能である。
【０２７４】
例えば、蓄電池の分解装置１において、分解対象となる蓄電池１００は、上記した円筒形状のもの、四角柱形状のものに限らず、いかなる形態であっても良い。また、分解対象となる蓄電池１００のサイズについても、例えば、携帯電話に用いられる小さなものから、自動車に用いられる大型のものまで対応可能である。
【０２７５】
また、把持手段を移動手段で移動させる際においても、単に左右方向に移動させるだけでなく、捻りながらであっても、振動を加えながらであっても良い。
さらに、破断用溝１３２についても蓄電池の両端面に対して略平行に設ける以外に、蓄電池１００の両端面に対して斜めに設けたりしても良い。
【０２７６】
また、蓄電池の分解装置１において蓄電池１００を把持する方法についても、上記したものに限定されるものではなく、公知の把持手段を用いることも当然可能である。
このように本発明における蓄電池の分解装置および蓄電池分解方法は、本発明の目的を逸脱しない範囲で種々の変更が可能である。
【産業上の利用可能性】
【０２７７】
本発明は、封入容器内に封入された、例えば、パソコン、携帯電話、デジタルカメラ、ＰＤＡ(Personal Digital Assistance)などの電子機器に用いられる、マンガン電池、アルカリ電池、リチウム電池等の一次電池や、鉛蓄電池、ニッケル・カドミウム電池、ニッケル・水素電池、リチウムイオン電池などの二次電池、二重層キャパシター、コンデンサーなどのいわゆる蓄電池において、安全性試験などの所定の検査、リサイクルなどを行うために、封入容器内の内容物である電極体を封入容器から取り出す蓄電池の分解方法およびそのための蓄電池の分解装置に適用することができる。
【符号の説明】
【０２７８】
１     蓄電池の分解装置
２     作業室（グローブボックス）
６     刃物
１０   破断用溝入れ機構
１２   固定具
１４   加工機
１６    刃物
２０   封入容器破断機構
２２   把持具
２４   係止片
２２'、２６'  押圧部材
２８   係止片
３０   封入容器分離機構
３２    破断用溝
４０   電極体取り出し機構
４２   把持具
５２   切断具
１００ 蓄電池
１０１ 封入容器
１０２ 正電極
１０３ 電極体
１０４ 負電極
１０６ セパレーター
１０８ 容器本体
１０８Ａ      蓋側
１０８Ｂ      底側
１１０ 集電タブ（負極タブ）
１１２ 蓋部材
１１４ 集電タブ（正極タブ）
１３０ ネッキング溝
１３２ 破断用溝
１３２Ａ      第１の破断用溝
１３２Ｂ      第２の破断用溝
１３４ 把持用溝
Ｐ      支点
【図１】
2011198744.tif 000003
【図２】
2011198744.tif 000004
【図３】
2011198744.tif 000005
【図４】
2011198744.tif 000006
【図５】
2011198744.tif 000007
【図６】
2011198744.tif 000008
【図７】
2011198744.tif 000009
【図８】
2011198744.tif 000010
【図９】
2011198744.tif 000011
【図１０】
2011198744.tif 000012
【図１１】
2011198744.tif 000013
【図１２】
2011198744.tif 000014
【図１３】
2011198744.tif 000015
【図１４】
2011198744.tif 000016
【図１５】
2011198744.tif 000017
【図１６】
2011198744.tif 000018
【図１７】
2011198744.tif 000019
【図１８】
2011198744.tif 000020
【図１９】
2011198744.tif 000021
【図２０】
2011198744.tif 000022
【図２１】
2011198744.tif 000023
【図２２】
2011198744.tif 000024
【図２３】
2011198744.tif 000025
【図２４】
2011198744.tif 000026
【図２５】
2011198744.tif 000027
【図２６】
2011198744.tif 000028